(57)【特許請求の範囲】
【請求項１】
複数の基地局装置と、前記基地局装置と通信を行う複数の移動局装置と、を具備する無線通信システムにおいて、
第１の前記基地局装置は、複数の周波数帯域を用いて前記移動局装置と通信を行う基地局装置であり、
第２の前記基地局装置は、
前記第１の前記基地局装置が通信に用いる周波数帯域の一部又は全部の周波数帯域である共通周波数帯域、及び、前記第１の前記基地局装置が通信に用いない専用周波数帯域を用いて前記移動局装置と通信を行う基地局装置であって、
前記移動局装置において複数の前記共通周波数帯域のうちの一部の前記共通周波数帯域で測定された前記共通周波数帯域の無線品質が予め定めた閾値より高い場合に、当該移動局装置との通信に用いる周波数帯域として全部の前記共通周波数帯域を選択し、前記移動局装置において前記複数の前記共通周波数帯域のうちの一部の前記共通周波数帯域で測定された前記共通周波数帯域の無線品質が予め定めた閾値より低い場合に、当該移動局装置との通信に用いる周波数帯域として前記専用周波数帯域を選択する通信帯域選択部を備え、
前記移動局装置又は前記第２の前記基地局装置は、
前記複数の前記共通周波数帯域のうちの一部の前記共通周波数帯域で測定された前記共通周波数帯域の無線品質が予め定めた閾値より高い場合に、前記移動局装置が全部の前記共通周波数帯域を用いて前記第２の前記基地局装置とキャリアアグリゲーション技術を用いた通信を行う制御をし、前記複数の前記共通周波数帯域のうちの一部の前記共通周波数帯域で測定された前記共通周波数帯域の無線品質が予め定めた閾値より低い場合に、前記移動局装置が前記専用周波数帯域を用いて前記第２の前記基地局装置と通信を行う制御をする移動局無線制御部を備えることを特徴とする無線通信システム。
【請求項２】
前記移動局装置は、
前記第２の前記基地局装置と接続をしていないとき、前記専用周波数帯域で信号を検出した場合に、前記専用周波数帯域を用いて前記第２の前記基地局装置と接続を行う接続基地局選択部を備えることを特徴とする請求項１に記載の無線通信システム。
【請求項３】
前記移動局無線制御部は、通信の制御を行う制御情報を、前記専用周波数帯域を用いて送信又は受信する制御をすることを特徴とする請求項１又は２に記載の無線通信システム。
【請求項４】
前記通信帯域選択部は、前記移動局装置において前記複数の前記共通周波数帯域のうちの一部の前記共通周波数帯域で測定された前記共通周波数帯域の無線品質が予め定めた閾値より高い場合に、当該移動局装置が着信通知を監視する着信監視周波数帯域として前記共通周波数帯域の一部を選択し、前記移動局装置において前記複数の前記共通周波数帯域のうちの一部の前記共通周波数帯域で測定された前記共通周波数帯域の無線品質が予め定めた閾値より低い場合に、当該移動局装置が着信通知を監視する着信監視周波数帯域として前記専用周波数帯域を選択し、
前記移動局無線制御部は、前記共通周波数帯域の無線品質が予め定めた閾値より高い場合に、複数の前記共通周波数帯域のうちの一部の前記共通周波数帯域で着信通知を監視し、前記共通周波数帯域の無線品質が予め定めた閾値より低い場合に、前記専用周波数帯域で着信通知を監視する制御をすることを特徴とする請求項１又は２に記載の無線通信システム。
【請求項５】
前記複数の前記共通周波数帯域のうちの一部の前記共通周波数帯域は、予め定められた品質測定周波数帯域であり、
前記共通周波数帯域の無線品質は、前記品質測定周波数帯域の無線品質であることを特徴とする請求項４に記載の無線通信システム。
【請求項６】
前記移動局装置は、
前記第２の前記基地局装置と接続をしていないとき、前記専用周波数帯域で信号を検出した場合に、前記専用周波数帯域を用いて前記第２の前記基地局装置と接続を行う接続基地局選択部を備え、
前記第２の前記基地局装置は、
前記移動局装置の全てが接続されていない場合に前記共通周波数帯域に送信する信号の停止を行う制御をする基地局無線制御部を備えることを特徴とする請求項５に記載の無線通信システム。
【請求項７】
前記基地局無線制御部は、前記通信帯域選択部が前記移動局装置との通信に用いる周波数帯域として前記専用周波数帯域のみを選択している場合、前記品質測定周波数帯域以外の共通周波数帯域に送信する信号の停止を行う制御をすることを特徴とする請求項６に記載の無線通信システム。
【請求項８】
前記第１の前記基地局装置は、前記第２の前記基地局装置より、広い範囲で通信を行うことを特徴とする請求項１に記載の無線通信システム。
【請求項９】
前記専用周波数帯域では、時分割複信方式の通信が用いられることを特徴とする請求項１に記載の無線通信システム。
【請求項１０】
移動局装置において第１の基地局装置及び第２の基地局装置移動局装置との通信に用いる周波数帯域である複数の共通周波数帯域のうちの一部の前記共通周波数帯域で測定された前記共通周波数帯域の無線品質が予め定めた閾値より高い場合に、当該移動局装置とのキャリアアグリゲーション技術を用いた通信に用いる周波数帯域として、全部の前記共通周波数帯域を含む複数の周波数帯域の一部又は全部を選択し、前記移動局装置において前記複数の前記共通周波数帯域のうちの一部の前記共通周波数帯域で測定された前記共通周波数帯域の無線品質が予め定めた閾値より低い場合に、当該移動局装置との通信に用いる周波数帯域として、前記第２の基地局装置と前記移動局装置との通信に用いる専用周波数帯域の一部又は全部を選択する通信帯域選択部を備えることを特徴とする第２の基地局装置。
【請求項１１】
前記移動局装置との通信において、当該通信の制御を行う制御情報を、前記専用周波数帯域を用いて送信又は受信することを特徴とする請求項１０に記載の第２の基地局装置。
【請求項１２】
前記移動局装置の全てが接続されていない場合に前記共通周波数帯域に送信する信号を停止することを特徴とする請求項１０又は１１に記載の第２の基地局装置。
【請求項１３】
前記移動局装置と前記専用周波数帯域のみで通信を行う場合に、前記共通周波数帯域の一部であって前記共通周波数帯域の無線品質の測定に用いる品質測定周波数帯域、以外の共通周波数帯域における通信を停止することを特徴とする請求項１０から１２のいずれか一項に記載の第２の基地局装置。
【請求項１４】
前記専用周波数帯域では、時分割複信方式の通信が用いられることを特徴とする請求項１０に記載の第２の基地局装置。
【請求項１５】
第１の基地局装置及び第２の基地局装置との通信に用いる周波数帯域である複数の共通周波数帯域のうちの一部の前記共通周波数帯域で測定した前記共通周波数帯域の無線品質が予め定めた閾値より高い場合に、全部の前記共通周波数帯域を含む複数の周波数帯域を用いて前記第２の基地局装置とキャリアアグリゲーション技術を用いた通信を行う制御をし、前記複数の前記共通周波数帯域のうちの一部の前記共通周波数帯域で測定した前記共通周波数帯域の無線品質が予め定めた閾値より低い場合に、前記第２の基地局装置のみとの通信に用いる周波数帯域である専用周波数帯域を用いて前記第２の基地局装置と通信を行う制御をすることを特徴とする移動局装置。
【請求項１６】
前記第２の基地局装置と接続を行う場合に、前記専用周波数帯域を用いて前記接続の処理を行うことを特徴とする請求項１５に記載の移動局装置。
【請求項１７】
前記第２の基地局装置との通信において、当該通信の制御を行う制御情報を、前記専用周波数帯域を用いて送信又は受信することを特徴とする請求項１５又は１６に記載の移動局装置。
【請求項１８】
前記第２の基地局装置と前記専用周波数帯域のみで通信を行う場合に、前記共通周波数帯域の一部である品質測定周波数帯域の無線品質を、前記共通周波数帯域の無線品質として測定することを特徴とする請求項１５から１７のいずれか一項に記載の移動局装置。
【請求項１９】
前記専用周波数帯域では、時分割複信方式の通信が用いられることを特徴とする請求項１５に記載の移動局装置。
【請求項２０】
前記第１の基地局装置と前記移動局装置との前記共通周波数帯域の無線品質に基づいて、前記第１の基地局装置と通信を行う制御をすることを特徴とする請求項１５に記載の移動局装置。
【請求項２１】
基地局装置における通信制御方法において、
第１の基地局装置及び第２の基地局装置が移動局装置との通信に用いる周波数帯域である共通周波数帯域、及び、前記第２の基地局装置のみが前記移動局装置との通信に用いる周波数帯域である専用周波数帯域、とからなる複数の周波数帯域を用いて前記移動局装置と通信を行う過程と、
前記移動局装置において複数の前記共通周波数帯域のうちの一部の前記共通周波数帯域で測定された前記共通周波数帯域の無線品質が予め定めた閾値より高い場合に、当該移動局装置とのキャリアアグリゲーション技術を用いた通信に用いる周波数帯域として、全部の前記共通周波数帯域を含む前記複数の周波数帯域の一部又は全部を選択し、前記移動局装置において前記複数の前記共通周波数帯域のうちの一部の前記共通周波数帯域で測定された前記共通周波数帯域の無線品質が予め定めた閾値より低い場合に、当該移動局装置との通信に用いる周波数帯域として、前記専用周波数帯域の一部又は全部を選択する通信帯域選択過程と、
を有することを特徴とする通信制御方法。
【請求項２２】
移動局装置における通信制御方法において、
第１の基地局装置及び第２の基地局装置との通信に用いる周波数帯域である共通周波数帯域、及び、前記第２の基地局装置のみとの通信に用いる周波数帯域である専用周波数帯域、とからなる複数の周波数帯域を用いて前記第２の基地局装置と通信を行う過程と、
複数の前記共通周波数帯域のうちの一部の前記共通周波数帯域で測定した前記共通周波数帯域の無線品質が予め定めた閾値より高い場合に、全部の前記共通周波数帯域を含む前記複数の周波数帯域を用いて前記第２の基地局装置とキャリアアグリゲーション技術を用いた通信を行う制御をし、前記複数の前記共通周波数帯域のうちの一部の前記共通周波数帯域で測定した前記共通周波数帯域の無線品質が予め定めた閾値より低い場合に、前記専用周波数帯域を用いて前記第２の基地局装置と通信を行う制御をする過程と、
を有することを特徴とする通信制御方法。
【請求項２３】
基地局装置のコンピュータを、
第１の基地局装置及び第２の基地局装置が移動局装置との通信に用いる周波数帯域である共通周波数帯域、及び、前記第２の基地局装置のみが前記移動局装置との通信に用いる周波数帯域である専用周波数帯域、とからなる複数の周波数帯域を用いて前記移動局装置と通信を行う手段、
前記移動局装置において複数の前記共通周波数帯域のうちの一部の前記共通周波数帯域で測定された前記共通周波数帯域の無線品質が予め定めた閾値より高い場合に、当該移動局装置とのキャリアアグリゲーション技術を用いた通信に用いる周波数帯域として、全部の前記共通周波数帯域を含む前記複数の周波数帯域の一部又は全部を選択し、前記移動局装置において前記複数の前記共通周波数帯域のうちの一部の前記共通周波数帯域で測定された前記共通周波数帯域の無線品質が予め定めた閾値より低い場合に、当該移動局装置との通信に用いる周波数帯域として、前記専用周波数帯域の一部又は全部を選択する通信帯域選択手段、
として機能させる通信制御プログラム。
【請求項２４】
移動局装置のコンピュータを、
第１の基地局装置及び第２の基地局装置との通信に用いる周波数帯域である共通周波数帯域、及び、前記第２の基地局装置のみとの通信に用いる周波数帯域である専用周波数帯域、とからなる複数の周波数帯域を用いて前記第２の基地局装置と通信を行う手段、
複数の前記共通周波数帯域のうちの一部の前記共通周波数帯域で測定した前記共通周波数帯域の無線品質が予め定めた閾値より高い場合に、全部の前記共通周波数帯域を含む前記複数の周波数帯域を用いて前記第２の基地局装置とキャリアアグリゲーション技術を用いた通信を行う制御をし、前記複数の前記共通周波数帯域のうちの一部の前記共通周波数帯域で測定した前記共通周波数帯域の無線品質が予め定めた閾値より低い場合に、前記専用周波数帯域を用いて前記第２の基地局装置と通信を行う制御をする手段、
として機能させる通信制御プログラム。
【請求項２５】
複数の基地局装置と、前記基地局装置と通信を行う複数の移動局装置と、を具備する無線通信システムにおいて、
第１の前記基地局装置は、複数の周波数帯域を用いて前記移動局装置と通信を行う基地局装置であり、
第２の前記基地局装置は、
前記第１の前記基地局装置が通信に用いる周波数帯域の一部又は全部の周波数帯域である共通周波数帯域、及び、前記第１の前記基地局装置が通信に用いない専用周波数帯域を用いて前記移動局装置と通信を行う基地局装置であって、
前記移動局装置における前記共通周波数帯域の無線品質が予め定めた閾値より高い場合に、当該移動局装置との通信に用いる周波数帯域として前記共通周波数帯域を選択し、前記移動局装置における前記共通周波数帯域の無線品質が予め定めた閾値より低い場合に、当該移動局装置との通信に用いる周波数帯域として前記専用周波数帯域を選択する通信帯域選択部を備え、
前記移動局装置又は前記第２の前記基地局装置は、
前記共通周波数帯域の無線品質が予め定めた閾値より高い場合に、前記移動局装置が前記共通周波数帯域を用いて前記第２の基地局装置と通信を行う制御をし、前記共通周波数帯域の無線品質が予め定めた閾値より低い場合に、前記移動局装置が前記専用周波数帯域を用いて前記第２の基地局装置と通信を行う制御をする移動局無線制御部を備え、
前記通信帯域選択部は、前記移動局装置における前記共通周波数帯域の無線品質が予め定めた閾値より高い場合に、当該移動局装置が着信通知を監視する着信監視周波数帯域として前記共通周波数帯域の一部を選択し、前記移動局装置における前記共通周波数帯域の無線品質が予め定めた閾値より低い場合に、当該移動局装置が着信通知を監視する着信監視周波数帯域として前記専用周波数帯域を選択し、
前記移動局無線制御部は、前記共通周波数帯域の無線品質が予め定めた閾値より高い場合に、前記共通周波数帯域の一部で着信通知を監視し、前記共通周波数帯域の無線品質が予め定めた閾値より低い場合に、前記専用周波数帯域で着信通知を監視する制御をすることを特徴とする無線通信システム。
【請求項２６】
第１の基地局装置及び第２の基地局装置が移動局装置との通信に用いる周波数帯域である共通周波数帯域、及び、前記第２の基地局装置のみが前記移動局装置との通信に用いる周波数帯域である専用周波数帯域、とからなる複数の周波数帯域を用いて前記移動局装置と通信を行い、
前記移動局装置の全てが接続されていない場合に前記共通周波数帯域に送信する信号の停止することを特徴とする第２の基地局装置。
【請求項２７】
第１の基地局装置及び第２の基地局装置との通信に用いる周波数帯域である共通周波数帯域、及び、前記第２の基地局装置のみとの通信に用いる周波数帯域である専用周波数帯域、とからなる複数の周波数帯域を用いて前記第２の基地局装置と通信を行い、
前記第２の基地局装置と前記専用周波数帯域のみで通信を行う場合に、前記共通周波数帯域の一部である品質測定周波数帯域の無線品質を、前記共通周波数帯域の無線品質として測定することを特徴とする移動局装置。
【発明の詳細な説明】
【技術分野】
【０００１】
本発明は、無線通信システム、基地局装置、移動局装置、通信制御方法、及び、通信制御プログラムに関する。
本願は、２０１０年０１月１２日に、日本に出願された特願２０１０−００４１３２号に基づき優先権を主張し、その内容をここに援用する。
【背景技術】
【０００２】
現在、移動局装置での通信サービスは、幅広く普及し、多くの人々に利用されている。このような通信サービスを提供する通信事業者は、半径数百ｍ〜数ｋｍ程度の通信範囲（マクロセル）で無線通信できる基地局装置（マクロセル基地局装置という）を多数設置することによって、必要なサービスエリアをカバーし、音声電話、ＴＶ電話、パケット通信等さまざまなサービスを提供している。
しかし、マクロセルのみでサービスエリアの全領域を完全にカバーすることは難しく、マクロセルの境界付近や、屋内等の電波の届きにくい場所では弱電界の場所が存在する。そのような場所では、十分な通信速度が得られない、通話音声の品質が安定しない等の問題が発生する。そのような場所をカバーする為に、半径数ｍ〜数十ｍ程度の通信範囲（フェムトセル）で無線通信できる基地局装置（フェムトセル基地局装置という）の導入が検討されている。フェムトセル基地局装置は、マクロセル基地局装置とは異なり、例えば、各家庭で利用するブロードバンド回線を用いて、通信事業者が設置しているコアネットワークと接続される。このようにフェムトセル基地局装置を用いた通信では、ブロードバンド回線の利用等によって通信事業者側の負担が軽減するので、マクロセル基地局装置を用いた通信と比較して通信コストが低減する。【０００３】
また、フェムトセル基地局装置では、その利用者は、フェムトセル基地局装置を設置したユーザが許可した少数の使用者に限定される。つまり、限定された少数の移動局装置でフェムトセル基地局装置を利用するため、移動局装置は、安定した高速の通信を行うことができる。
第３世代およびそれ以降の通信方式を検討している３ＧＰＰ（３ｒｄ  Ｇｅｎｅｒａｔｉｏｎ  Ｐａｒｔｎｅｒｓｈｉｐ  Ｐｒｏｊｅｃｔ）においても各家庭などの小規模のエリアをカバーするマクロセル基地局装置としてＨｏｍｅ（ｅ）ＮｏｄｅＢ、ＣＳＧ（Ｃｌｏｓｅｄ  Ｓｕｂｓｃｒｉｂｅｒ  Ｇｒｏｕｐ）セルなどの仕様化が勧められている（例えば、非特許文献１）。
以上のように、フェムトセルでは、移動局装置は、低コストかつ安定した高速の通信を行うことができる。【０００４】
一方、３ＧＰＰでは、現在、ＬＴＥ（Ｌｏｎｇ  Ｔｅｒｍ  Ｅｖｏｌｕｔｉｏｎ；（第３世代の）長期進化）の次の通信方式として、ＬＴＥ−Ａ（ＬＴＥ−Ａｄｖａｎｃｅｄ）の検討が行われている。ＬＴＥ−Ａでは、ＬＴＥよりも高速の通信を実現することが要求されており、ＬＴＥよりも広帯域（ＬＴＥの２０ＭＨｚの帯域を越える１００ＭＨｚまでの帯域）をサポートすることが求められている。
しかし、世界的に広帯域の連続した周波数領域をＬＴＥ−Ａ用として確保することは困難であり、また、ＬＴＥとの互換性を可能な限り維持する必要がある。そこで、帯域幅が２０ＭＨｚまでのキャリアを複数まとめて通信を行うことで、最大１００ＭＨｚの帯域幅を確保し、高速かつ大容量の通信を実現させるキャリアアグリゲーション技術が提案され、３ＧＰＰ  ＲＡＮ１＃５３ｂ会合で合意されている (非特許文献２の５章)。
キャリアアグリケーション技術では、帯域幅が２０ＭＨｚまでのキャリアは、コンポーネントキャリア（Ｃｏｍｐｏｎｅｎｔ  Ｃａｒｅｅｒ；ＣＣ）と呼ばれている。また、キャリアアグリゲーションについてシグナリング、チャネル配置、マッピング等、詳細仕様について今後策定される予定で、仕様策定のための種々の議論が３ＧＰＰの各ＷＧ（Ｗｏｒｋｉｎｇ  Ｇｒｏｕｐ；ワーキンググループ）で行われている。【０００５】
ここで、上述のフェムトセルでの通信にキャリアアグリケーション技術が適用されれば、さらに高速の通信を行うことができる。しかしながら、マクロセルとフェムトセルとが重なる範囲では、フェムトセルの信号がマクロセルの信号による干渉を受けるという問題がある。
このような問題に対して、例えば、ＲＡＮ１のＷＧでは無線レイヤ１に関する技術の議論が進められており、このＷＧでは、どのような種類のコンポーネントキャリアが必要であるかの議論も進められている。例えば、非特許文献３は、コンポーネントキャリアの種類を検討するために提示された寄書である。この非特許文献３には、マクロセル基地局装置と比べて低い送信電力である小型基地局装置（フェムトセル基地局装置）が存在するときにキャリアアグリゲーション技術を適用する場合の周波数配置方法について記載されている。
具体的に、非特許文献３には、この周波数配置方法として、マクロセル基地局装置とフェムトセル基地局装置とで、別々のコンポーネントキャリアを使用することについて記載されている。また、非特許文献３には、通常はマクロセルとフェムトセルとで異なるコンポーネントキャリアを用いるが、フェムトセルでキャリアアグリケーション技術を適用する場合にのみ、同じコンポーネントキャリアをマクロセルとフェムトセルとで切り替えながら用いることが記載されている。
【先行技術文献】
【非特許文献】
【０００６】
【非特許文献１】”Ｓｅｒｖｉｃｅ  ｒｅｑｕｉｒｅｍｅｎｔｓ  ｆｏｒ  Ｈｏｍｅ  ＮｏｄｅＢｓ  ａｎｄ  Ｈｏｍｅ  ｅＮｏｄｅＢｓ”、３ＧＰＰ  ＴＳ  ２２．２２０
【非特許文献２】３ＧＰＰ  ＴＲ３６．８１４  Ｖ１．０．０
【非特許文献３】ＮＴＴ  Ｄｏｃｏｍｏ、”Ｖｉｅｗｓ  ｏｎ  Ｃｏｍｐｏｎｅｎｔ  Ｃａｒｒｉｅｒ  Ｔｙｐｅｓ  ｆｏｒ  Ｃａｒｒｉｅｒ  Ａｇｇｒｅｇａｔｉｏｎ  ｉｎ  ＬＴＥ−Ａｄｖａｎｃｅｄ”、Ｒ１−０９３５０７
【発明の概要】
【発明が解決しようとする課題】
【０００７】
ところで、非特許文献３に記載されたように、同じコンポーネントキャリア（共通周波数帯域；共通ＣＣという）をマクロセルとフェムトセルとで切り替えながら（キャンプオンしながら）用いるときには、共通ＣＣ以外のコンポーネントキャリアで、フェムトセルの信号がマクロセルの信号による干渉を受けることがある。また、このとき、マクロセルでの通信にもキャリアアグリケーション技術を適用した場合には、共通ＣＣの信号がマクロセルの信号による干渉を受けることがある。つまり、フェムトセルの信号へのマクロセルの信号の干渉を完全になくすことは困難であるという欠点があった。干渉が発生すると、移動局装置がフェムトセル基地局装置と安定した高速の通信を行うことができない。
このように、従来技術では、通信に用いる周波数帯域の一部で他の装置からの信号による干渉が生じることがある場合に、移動局装置が基地局装置と安定した通信を行うことができない場合があるという欠点があった。【０００８】
本発明は上記の点に鑑みてなされたものであり、通信に用いる周波数帯域の一部で他の装置からの信号による干渉が生じることがある場合でも、移動局装置が基地局装置と安定した通信を行うことができる無線通信システム、基地局装置、移動局装置、通信制御方法、及び、通信制御プログラムを提供する。
【課題を解決するための手段】
【０００９】
（１）本発明は上記の課題を解決するためになされたものであり、本発明の一態様は、複数の基地局装置と、前記基地局装置と通信を行う複数の移動局装置と、を具備する無線通信システムにおいて、第１の前記基地局装置は、複数の周波数帯域を用いて前記移動局装置と通信を行う基地局装置であり、第２の前記基地局装置は、前記第１の基地局装置が通信に用いる周波数帯域の一部又は全部の周波数帯域である共通周波数帯域、及び、前記第１の基地局装置が通信に用いない専用周波数帯域を用いて前記移動局装置と通信を行う基地局装置であって、前記移動局装置における前記共通周波数帯域の無線品質が予め定めた閾値より高い場合に、当該移動局装置との通信に用いる周波数帯域として前記共通周波数帯域を選択し、前記移動局装置における前記共通周波数帯域の無線品質が予め定めた閾値より低い場合に、当該移動局装置との通信に用いる周波数帯域として前記専用周波数帯域を選択する通信帯域選択部を備え、前記移動局装置又は前記第２の基地局装置は、前記共通周波数帯域の無線品質が予め定めた閾値より高い場合に、前記移動局装置が前記共通周波数帯域を用いて前記第２の基地局装置と通信を行う制御をし、前記共通周波数帯域の無線品質が予め定めた閾値より低い場合に、前記移動局装置が前記専用周波数帯域を用いて前記第２の基地局装置と通信を行う制御をする移動局無線制御部を備えることを特徴とする無線通信システムである。【００１０】
（２）また、本発明の一態様は、上記の無線通信システムにおいて、前記移動局装置は、前記第２の基地局装置と接続をしていないとき、前記専用周波数帯域で信号を検出した場合に、前記専用周波数帯域を用いて前記第２の基地局装置と接続を行う接続基地局選択部を備えることを特徴とする。【００１１】
（３）また、本発明の一態様は、上記の無線通信システムにおいて、前記移動局無線制御部は、通信の制御を行う制御情報を、前記専用周波数帯域を用いて送信又は受信する制御をすることを特徴とする。【００１２】
（４）また、本発明の一態様は、上記の無線通信システムにおいて、前記通信帯域選択部は、前記移動局装置における前記共通周波数帯域の無線品質が予め定めた閾値より高い場合に、当該移動局装置が着信通知を監視する着信監視周波数帯域として前記共通周波数帯域の一部を選択し、前記移動局装置における前記共通周波数帯域の無線品質が予め定めた閾値より低い場合に、当該移動局装置が着信通知を監視する着信監視周波数帯域として前記専用周波数帯域を選択し、前記移動局無線制御部は、前記共通周波数帯域の無線品質が予め定めた閾値より高い場合に、前記共通周波数帯域の一部で着信通知を監視し、前記共通周波数帯域の無線品質が予め定めた閾値より低い場合に、前記専用周波数帯域で着信通知を監視する制御をすることを特徴とする。【００１３】
（５）また、本発明の一態様は、上記の無線通信システムにおいて、前記共通周波数帯域の一部は、予め定められた品質測定周波数帯域であり、前記共通周波数帯域の無線品質は、前記品質測定周波数帯域の無線品質であることを特徴とする。【００１４】
（６）また、本発明の一態様は、上記の無線通信システムにおいて、前記移動局装置は、前記第２の基地局装置と接続をしていないとき、前記専用周波数帯域で信号を検出した場合に、前記専用周波数帯域を用いて前記第２の基地局装置と接続を行う接続基地局選択部を備え、前記第２の基地局装置は、前記移動局装置の全てが接続されていない場合に前記共通周波数帯域に送信する信号の停止を行う制御をする基地局無線制御部を備える。【００１５】
（７）また、本発明の一態様は、上記の無線通信システムにおいて、前記基地局無線制御部は、前記通信帯域選択部が前記移動局装置との通信に用いる周波数帯域として前記専用周波数帯域のみを選択している場合、前記品質測定周波数帯域以外の共通周波数帯域に送信する信号の停止を行う制御をする。【００１６】
（８）また、本発明の一態様は、上記の無線通信システムにおいて、前記第１の基地局装置は、前記第２の基地局装置より、広い範囲で通信を行うことを特徴とする。【００１７】
（９）また、本発明の一態様は、上記の無線通信システムにおいて、前記専用周波数帯域では、時分割複信方式の通信が用いられることを特徴とする。【００１８】
（１０）また、本発明の一態様は、上記の無線通信システムにおいて、前記移動局装置又は前記第２の基地局装置は、前記第１の基地局装置と前記移動局装置との前記共通周波数帯域の無線品質に基づいて、前記第１の基地局装置と通信を行う制御をすることを特徴とする。【００１９】
（１１）また、本発明の一態様は、第１の基地局装置及び第２の基地局装置が移動局装置との通信に用いる周波数帯域である共通周波数帯域、及び、第２の基地局装置のみが前記移動局装置との通信に用いる周波数帯域である専用周波数帯域、とからなる複数の周波数帯域を用いて前記移動局装置と通信を行うことを特徴とする第２の基地局装置である。【００２０】
（１２）また、本発明の一態様は、上記の第２の基地局装置において、前記移動局装置における前記共通周波数帯域の無線品質が予め定めた閾値より高い場合に、当該移動局装置との通信に用いる周波数帯域として、前記共通周波数帯域を含む前記複数の周波数帯域の一部又は全部を選択し、前記移動局装置における前記共通周波数帯域の無線品質が予め定めた閾値より低い場合に、当該移動局装置との通信に用いる周波数帯域として、前記専用周波数帯域の一部又は全部を選択する通信帯域選択部を備えることを特徴とする。【００２１】
（１３）また、本発明の一態様は、上記の第２の基地局装置において、前記移動局装置との通信において、当該通信の制御を行う制御情報を、前記専用周波数帯域を用いて送信又は受信することを特徴とする。【００２２】
（１４）また、本発明の一態様は、上記の第２の基地局装置において、前記移動局装置の全てが接続されていない場合に前記共通周波数帯域に送信する信号の停止することを特徴とする。【００２３】
（１５）また、本発明の一態様は、上記の第２の基地局装置において、前記移動局装置と前記専用周波数帯域のみで通信を行う場合に、前記共通周波数帯域の一部であって無線品質の測定に用いる品質測定周波数帯域、以外の共通周波数帯域における通信を停止することを特徴とする。【００２４】
（１６）また、本発明の一態様は、上記の第２の基地局装置において、前記専用周波数帯域では、時分割複信方式の通信が用いられることを特徴とする。【００２５】
（１７）また、本発明の一態様は、上記の第２の基地局装置において、前記第１の基地局装置と前記移動局装置との前記共通周波数帯域の無線品質に基づいて、前記第１の基地局装置と通信を行う制御をすることを特徴とする。【００２６】
（１８）また、本発明の一態様は、第１の基地局装置及び第２の基地局装置との通信に用いる周波数帯域である共通周波数帯域、及び、第２の基地局装置のみとの通信に用いる周波数帯域である専用周波数帯域、とからなる複数の周波数帯域を用いて前記第２の基地局装置と通信を行うことを特徴とする移動局装置である。【００２７】
（１９）また、本発明の一態様は、上記の移動局装置において、前記共通周波数帯域の無線品質が予め定めた閾値より高い場合に、前記共通周波数帯域を含む前記複数の周波数帯域を用いて前記第２の基地局装置と通信を行う制御をし、前記共通周波数帯域の無線品質が予め定めた閾値より低い場合に、前記専用周波数帯域を用いて前記第２の基地局装置と通信を行う制御をすることを特徴とする。【００２８】
（２０）また、本発明の一態様は、上記の移動局装置において、前記第２の基地局装置と接続を行う場合に、前記専用周波数帯域を用いて前記接続の処理を行うことを特徴とする。【００２９】
（２１）また、本発明の一態様は、上記の移動局装置において、前記第２の基地局装置との通信において、当該通信の制御を行う制御情報を、前記専用周波数帯域を用いて送信又は受信することを特徴とする。【００３０】
（２２）また、本発明の一態様は、上記の移動局装置において、前記第２の基地局装置と前記専用周波数帯域のみで通信を行う場合に、前記共通周波数帯域の一部である品質測定周波数帯域の無線品質を、前記共通周波数帯域の無線品質として測定することを特徴とする。【００３１】
（２３）また、本発明の一態様は、上記の移動局装置において、前記専用周波数帯域では、時分割複信方式の通信が用いられることを特徴とする。【００３２】
（２４）また、本発明の一態様は、上記の移動局装置において、前記第１の基地局装置と前記移動局装置との前記共通周波数帯域の無線品質に基づいて、前記第１の基地局装置と通信を行う制御をすることを特徴とする。【００３３】
（２５）また、本発明の一態様は、基地局装置における通信制御方法において、第１の基地局装置及び第２の基地局装置が移動局装置との通信に用いる周波数帯域である共通周波数帯域、及び、第２の基地局装置のみが前記移動局装置との通信に用いる周波数帯域である専用周波数帯域、とからなる複数の周波数帯域を用いて前記移動局装置と通信を行う過程を有することを特徴とする通信制御方法である。【００３４】
（２６）また、本発明の一態様は、移動局装置における通信制御方法において、第１の基地局装置及び第２の基地局装置との通信に用いる周波数帯域である共通周波数帯域、及び、第２の基地局装置のみとの通信に用いる周波数帯域である専用周波数帯域、とからなる複数の周波数帯域を用いて前記第２の基地局装置と通信を行う過程を有することを特徴とする通信制御方法である。【００３５】
（２７）また、本発明の一態様は、基地局装置のコンピュータを、第１の基地局装置及び第２の基地局装置が移動局装置との通信に用いる周波数帯域である共通周波数帯域、及び、第２の基地局装置のみが前記移動局装置との通信に用いる周波数帯域である専用周波数帯域、とからなる複数の周波数帯域を用いて前記移動局装置と通信を行う手段として機能させる通信制御プログラムである。【００３６】
（２８）また、本発明の一態様は、移動局装置のコンピュータを、第１の基地局装置及び第２の基地局装置との通信に用いる周波数帯域である共通周波数帯域、及び、第２の基地局装置のみとの通信に用いる周波数帯域である専用周波数帯域、とからなる複数の周波数帯域を用いて前記第２の基地局装置と通信を行う手段として機能させる通信制御プログラムである。
【発明の効果】
【００３７】
本発明によれば、通信に用いる周波数帯域の一部で他の装置からの信号による干渉が生じることがある場合でも、移動局装置が基地局装置と安定した通信を行うことができる。
【図面の簡単な説明】
【００３８】
【図１】本発明の第１の実施形態に係る無線通信システムを示す概略図である。
【図２】本実施形態に係るコンポーネントキャリアの割当ての一例を示す概略図である。
【図３】本実施形態に係るマクロセル基地局装置の構成を示す概略ブロック図である。
【図４】本実施形態に係るフェムトセル基地局装置の構成を示す概略ブロック図である。
【図５】本実施形態に係るフェムトセル基地局装置の制御部の構成を示す概略ブロック図である。
【図６】本実施形態に係る移動局装置の構成を示す概略ブロック図である。
【図７】本実施形態に係る移動局装置の制御部の構成を示す概略ブロック図である。
【図８】本実施形態に係る無線通信システムの動作の一例を示すシーケンス図である。
【図９】本実施形態に係るフェムトセル基地局装置での電源制御の状態遷移を示す概略図である。
【図１０】本実施形態に係る移動局装置の動作の一例を示すフローチャートである。
【図１１】本実施形態に係る無線通信システムの動作の一例を示す別のシーケンス図である。
【図１２】本発明の第２の実施形態に係るコンポーネントキャリアの割当ての一例を示す概略図である。
【図１３】本実施形態に係るフェムトセル基地局装置の構成を示す概略ブロック図である。
【図１４】本実施形態に係る移動局装置の構成を示す概略ブロック図である。
【図１５】本発明の第３の実施形態に係る無線通信システムの動作の一例を示すシーケンス図である。
【発明を実施するための形態】
【００３９】
（第１の実施形態）
以下、図面を参照しながら本発明の第１の実施形態について詳しく説明する。
図１は、本発明の実施形態に係る無線通信システムを示す概略図である。この図において、無線通信システムはマクロセル基地局装置Ａ１１、フェムトセル基地局装置Ａ２１、Ａ２２、及び、移動局装置Ｍ１０〜Ｍ１２を具備する。また、ＩＰ（Ｉｎｔｅｒｎｅｔ  Ｐｒｏｔｏｃｏｌ）ネットワークＮ２は、コアネットワークＮ１に接続されてる。
【００４０】
マクロセル基地局装置Ａ１１は、コアネットワークＮ１に接続されている。また、マクロセル基地局装置Ａ１１は、半径数百ｍ〜数ｋｍ程度の通信範囲（マクロセル）Ｃ１１で、移動局装置Ｍ１０〜Ｍ１２と無線通信を行う。ここで、マクロセル基地局装置Ａ１１は、ダウンリンク（マクロセル基地局装置Ａ１１から移動局装置Ｍ１０）の通信でＯＦＤＭ方式の通信を行う。また、マクロセル基地局装置Ａ１１は、キャリアアグリケーション（ＣＡという）技術を適用した通信を行う。ここで、ＣＡ技術とは、信号をコンポネントキャリア（ＣＣという）と呼ばれる最大２０ＭＨｚの周波数帯域を複数個用いて通信を行う技術である。
【００４１】
フェムトセル基地局装置Ａ２１、Ａ２２は、ＩＰネットワークＮ２に接続されている。
また、フェムトセル基地局装置Ａ２１、Ａ２２は、マクロセル基地局装置Ａ１１と比較して小型の基地局装置であり、それぞれ、半径数ｍ〜数十ｍ程度の通信範囲（フェムトセル）Ｃ２１、Ｃ２２で、移動局装置Ｍ１０〜Ｍ１２と無線通信を行う。フェムトセル基地局装置Ａ２１、Ａ２２は、例えば、無線通信環境が悪くてマクロセル基地局装置Ａ１１との通信では無線通信品質が確保できない場所に設置される。また、例えば、各家庭に設置され、限定されたユーザに高品質のサービスを行うものである。ここで、フェムトセル基地局装置Ａ２１、Ａ２２は、ＣＡ技術を適用した通信を行う。なお、図１では、２個のフェムトセル基地局装置Ａ２１、Ａ２２が記載されているが、１個であってもよいし、３個以上であってもよい。
【００４２】
フェムトセル基地局装置Ａ２１は、フェムトセル基地局装置Ａ２２と比較して、マクロセル基地局装置Ａ１１に近い位置に設置されている。マクロセル基地局装置Ａ１１は、フェムトセル基地局装置Ａ２１、Ａ２２の設置状況に関らず、マクロセルＣ１１で信号の送受信を行うため、フェムトセル基地局装置Ａ２１、Ａ２２がそれぞれ送受信するフェムトセルＣ２１、Ｃ２２の信号と干渉する。この干渉は、マクロセルＣ１１に近いフェムトセルＣ２１の信号から受ける干渉の方が大きい。
【００４３】
移動局装置Ｍ１０は、マクロセルＣ１１に在圏し、マクロセル基地局装置Ａ１１と無線通信を行う。移動局装置Ｍ１１は、マクロセルＣ１１及びフェムトセルＣ２１に在圏し、フェムトセル基地局装置Ａ２１と無線通信を行う。移動局装置Ｍ１２は、マクロセルＣ１１及びフェムトセルＣ２２に在圏し、フェムトセル基地局装置Ａ２２と無線通信を行う。
【００４４】
図２は、本実施形態に係るコンポーネントキャリアの割当ての一例を示す概略図である。この図において、縦軸は周波数であり、基地局装置毎（横軸）にコンポーネントキャリアの割当てを示している。
図２において、周波数は、３個の周波数バンド（周波数が低い方から周波数バンド１、２、３）に分割されている。これらの周波数バンドは、例えば、８００ＭＨｚ帯、１．５ＧＨｚ帯、２ＧＨｚ帯、３ＧＨｚ帯といった周波数帯域である。また、各周波数バンドには複数の周波数帯域が設けられており、この周波数帯域は、例えば最大２０ＭＨｚのキャリアである。
【００４５】
図２は、マクロセルＣ１１では、周波数バンド１、２、３の全てを用いて通信を行うことができ、ＣＣ２〜６の５個のＣＣを用いて通信を行うことができることを示す。なお、ＣＣ１は、フェムトセルＣ２１、Ｃ２２で用いられるＣＣであり、マクロセルＣ１１では用いられないＣＣである。
また、図２は、フェムトセルＣ２１、Ｃ２２では、周波数バンド１、２を用いて通信を行うことができ、ＣＣ１〜４の４個のＣＣを用いて通信を行うことができることを示す。なお、フェムトセルＣ２１、Ｃ２２では、全ての周波数バンドを用いて通信を行うようにもできるが、通信に用いる周波数バンドを限定することで、フェムトセル基地局装置Ａ２１、Ａ２２のコストや消費電力を低減することが可能である。
【００４６】
フェムトセルＣ２１、Ｃ２２のみが通信に用いるＣＣ１をフェムトセル専用ＣＣ（専用周波数帯域）とする。また、マクロセルＣ１１及びフェムトセルＣ２１、Ｃ２２の両方が通信に用いることができるＣＣ２、３、４を共通ＣＣという。フェムトセルＣ２１、Ｃ２２では、共通ＣＣのうちの１個のＣＣで干渉レベルを測定する（このＣＣを品質測定周波数帯域；優先ＣＣとする）。
なお、本実施形態では、ＣＣ２を優先ＣＣとして用いる。優先ＣＣの帯域を予め決めておき、フェムトセル基地局装置Ａ２１、Ａ２２及び移動局装置Ｍ１０〜１２にその値（ＣＣ２）を内蔵のメモリに記録しておくことで、優先ＣＣを特定してもよいし、フェムトセルからの報知情報によって通知してよい。あるいは、フェムトセル専用ＣＣに接続した際に個別の通信チャネルを用いて、フェムトセル基地局装置Ａ２１、Ａ２２から移動局装置Ｍ１１、Ｍ１２に通知してもよい。フェムトセル基地局装置Ａ２１、Ａ２２から移動局装置Ｍ１１、Ｍ１２に通知することにより、設置された環境において最も干渉を受けやすいＣＣを優先ＣＣに選択することができる。
ここで、ＣＣ２はフェムトセルで用いるＣＣで周波数が最も低いＣＣである。周波数が低い方が伝搬距離に対する伝搬ロスが小さく、また、屋内等へも浸透しやすい。本実施形態では、周波数の最も低いＣＣ２を用いることで、共通ＣＣのうち最も干渉が発生しやすいＣＣ２の品質を測定することができる。例えば、後述するように、ＣＣ２が十分な品質となっていれば全てのＣＣがキャリアアグリゲーションに利用できると判断することができる。
【００４７】
また、移動局装置Ｍ１０〜Ｍ１２が着信の通知を待ち受けているとき（待ち受け状態という）、移動局装置Ｍ１０〜Ｍ１２は、通信相手の基地局装置（マクロセル基地局装置Ａ１１、又はフェムトセル基地局装置Ａ２１、Ａ２２）から割り当てられた１個又は複数のＣＣのみを受信可能な状態にして、通信の有無をモニタする。このＣＣをアンカーキャリアという。
以下、マクロセル基地局装置Ａ１１をマクロセル基地局装置ａ１といい、フェムトセル基地局装置Ａ２１、Ａ２２各々をフェムトセル基地局装置ａ２といい、移動局装置Ｍ１０〜Ｍ１２各々を移動局装置ｍ１という。
【００４８】
＜マクロセル基地局装置ａ１の構成について＞
図３は、本実施形態に係るマクロセル基地局装置ａ１の構成を示す概略ブロック図である。この図において、マクロセル基地局装置ａ１は、ＣＮ（Ｃｏｒｅ  Ｎｅｔｗｏｒｋ；コアネットワーク）通信部ａ１１、ベースバンド信号処理部ａ１２、無線部ａ１３、アンテナａ１４１〜ａ１４３、及び制御部ａ１５を含んで構成される。無線部ａ１３は、周波数バンド１無線部ａ１３１、周波数バンド２無線部ａ１３２、及び周波数バンド３無線部ａ１３３を含んで構成される。
【００４９】
ＣＮ通信部ａ１１は、コアネットワークＮ１に接続される。ＣＮ通信部ａ１１は、他の装置からコアネットワークＮ１を介して受信したデータからコアネットワークＮ１の通信制御のために用いられるデータを除去したデータ、あるいはそれらのデータを複数結合して生成されたデータを、ベースバンド信号処理部ａ１２に出力する。
また、ＣＮ通信部ａ１１は、ベースバンド信号処理部ａ１２から入力されたデータあるいはコアネットワークの通信に応じたサイズに分割したデータに、コアネットワークＮ１との通信制御のために用いられるデータを付加し、コアネットワークＮ１を介して他の装置に送信する。
【００５０】
ベースバンド信号処理部ａ１２は、ＣＮ通信部ａ１１から入力されたデータをユーザデータとし、このユーザデータと制御部ａ１５から入力された制御データとに対して、データを攪拌するスクランブル処理、符号化処理、及び変調処理を行う。ベースバンド信号処理部ａ１２は、これらの処理を行って生成した信号を、無線リソース（時間周波数帯域）にマッピングする。ベースバンド信号処理部ａ１２は、マッピングした信号に対して周波数時間変換（逆フーリエ変換）を行う。ベースバンド信号処理部ａ１２は、周波数時間変換を行った信号に対して、ＣＰ（Ｃｙｃｌｉｃ  Ｐｒｅｆｉｘ；サイクリック・プレフィックス）挿入処理を行う。ベースバンド信号処理部ａ１２は、ＣＰ挿入処理を行った信号のうち周波数バンド１、２、３に配置する信号を、それぞれ制御部ａ１５からの制御に従って、周波数バンド１無線部ａ１３１、周波数バンド２無線部ａ１３２、周波数バンド３無線部ａ１３３に出力する。
【００５１】
また、ベースバンド信号処理部ａ１２は、周波数バンド１無線部ａ１３１、周波数バンド２無線部ａ１３２、周波数バンド３無線部ａ１３３から入力された信号に対して、ＣＰ除去処理を行う。ベースバンド信号処理部ａ１２は、ＣＰ除去処理を行った信号に対して時間周波数変換（フーリエ変換）を行う。ベースバンド信号処理部ａ１２は、時間周波数変換を行った信号を、制御部ａ１５からの制御に従って無線リソースからデマッピングする。ベースバンド信号処理部ａ１２は、デマッピングした信号に対して、復調処理、復号化処理、及びスクランブル解除処理を行う。ここで、このスクランブル解除処理は、スクランブル処理でのデータの攪拌と逆の処理である。ベースバンド信号処理部ａ１２は、これらの処理を行って生成したデータを、無線通信の制御に用いる制御データと制御データ以外のユーザデータとに分割する。ベースバンド信号処理部ａ１２は、分割したデータのうち制御データを制御部ａ１５に出力し、ユーザデータをＣＮ通信部ａ１１に出力する。
【００５２】
周波数バンド１無線部ａ１３１は、ベースバンド信号処理部ａ１２から入力された信号をデジタル・アナログ変換し、変換したアナログ信号をベースバンド帯から周波数バンド１の無線周波数帯にアップコンバートし、アンテナａ１４１を介して移動局装置ｍ１へ送信する。
また、周波数バンド１無線部ａ１３１は、移動局装置ｍ１からの信号をアンテナａ１４１を介して受信し、周波数バンド１の無線周波数帯からベースバンド帯に受信した信号をダウンコンバートする。周波数バンド１無線部ａ１３１は、ダウンコンバートした信号を、アナログ・デジタル変換し、変換した信号をベースバンド信号処理部ａ１２に出力する。
【００５３】
このように、周波数バンド１無線部ａ１３１は、周波数バンド１について処理を行う。例えば、周波数バンド１無線部ａ１３１は、図２のＣＣ２に信号を配置して送信し、また、ＣＣ２に配置された信号を受信する。なお、図２の一例では、周波数バンド１無線部ａ１３１は、ＣＣ１に信号を配置せず、また、ＣＣ１に配置された信号を受信しない。
一方、周波数バンド２無線部ａ１３２、周波数バンド３無線部ａ１３３は、それぞれ、周波数バンド１無線部ａ１３１と同じ処理を、周波数バンド２、３について行う。例えば、周波数バンド２無線部ａ１３２は、図２のＣＣ３、４に信号を配置して送信し、また、ＣＣ３、４に配置された信号を受信する。同様に、周波数バンド３無線部ａ１３３は、図２のＣＣ５、６に信号を配置して送信し、また、ＣＣ５、６に配置された信号を受信する。
【００５４】
制御部ａ１５は、通信プロトコルに従って、ＣＮ通信部ａ１１、ベースバンド信号処理部ａ１２、無線部ａ１３を制御する。例えば、制御部ａ１５は、無線通信プロトコルに従って、ベースバンド信号処理部ａ１２を制御し、マッピングやデマッピング、符号化処理、復号化処理、変調処理、及び復調処理等の各種処理を行わせる。
また、例えば、制御部ａ１５は、ベースバンド信号処理部ａ１２が送信するユーザデータのデータ量、無線部が各ＣＣを用いて送信する信号の容量、各ＣＣを用いて受信した信号の容量を測定する。また、制御部ａ１５は、移動局装置ｍ１が測定した周波数帯域（例えば、ＣＣ）毎の無線品質情報を各移動局装置ｍ１が送信した制御データとして取得する。
【００５５】
制御部ａ１５は、測定結果、及び取得した無線品質情報に基づいて各移動局装置ｍ１との無線通信に用いるＣＣを決定する。１個の移動局装置ｍ１に１個のＣＣを割り当ててもよいし、複数のＣＣを割り当ててもよい。具体的には、ある移動局装置ｍ１に対してＣＣ３をアンカーキャリアとして割り当てたときに、ユーザデータのデータ量が少ない場合、つまり、この移動局装置ｍ１が音声通話のような比較的データ量が少ない通信を行う場合、この移動局装置ｍ１には、ＣＣ３のみを割り当てる。一方、ある移動局装置ｍ１に対してＣＣ２をアンカーキャリアとして割り当てたときに、ユーザデータのデータ量が多い場合、つまり、この移動局装置ｍ１が動画のダウンロードのような比較的データ量が多い通信を行う場合、この移動局装置ｍ１には、ＣＣ２〜ＣＣ６の全てのＣＣを割り当てる。ただし、ここで割り当てるＣＣは、無線品質が予め定めた値より高いＣＣ、又は、相対的に他のＣＣより無線品質が高いＣＣとしてもよい。
【００５６】
なお、図３のマクロセル基地局装置ａ１では、周波数バンド毎に無線部及びアンテナを備える構成について説明をしたが、本発明はこれに限らず、ＣＣ毎に無線部及びアンテナを備えてもよいし、全ての周波数バンドについて１つの無線部及びアンテナを備えてもよい。また、マクロセル基地局装置ａ１では、１個の無線部に対して１個のアンテナが接続されている場合について説明したが、本発明はこれに限らず、１個の無線部に対して複数個のアンテナが接続されていてもよい。この場合、マクロセル基地局装置ａ１はＭＩＭＯ（Ｍｕｌｔｉｐｌｅ  Ｉｎｐｕｔ  Ｍｕｌｔｉｐｌｅ  Ｏｕｔｐｕｔ；多入力多出力）方式の通信を行ってもよい。また、マクロセル基地局装置ａ１では、１個のアンテナを介して信号の送信及び受信を行う場合について説明したが、本発明はこれに限らず、マクロセル基地局装置ａ１が送信アンテナ及び受信アンテナを備え、それぞれを介して、信号の送信及び受信を行ってもよい。
【００５７】
＜フェムトセル基地局装置ａ２の構成について＞
図４は、本実施形態に係るフェムトセル基地局装置ａ２の構成を示す概略ブロック図である。この図において、フェムトセル基地局装置ａ２は、ＩＰ通信部ａ２１、ベースバンド信号処理部ａ２２、無線部ａ２３、アンテナａ２４１〜ａ２４３、及び制御部ａ２５を含んで構成される。無線部ａ２３は、専用ＣＣ無線部ａ２３１、優先ＣＣ無線部ａ２３２、及び共通ＣＣ無線部ａ２３３を含んで構成される。
【００５８】
ＩＰ通信部ａ２１は、ＩＰネットワークＮ２に接続される。ＩＰ通信部ａ２１は、コアネットワークＮ１に接続された他の装置からＩＰネットワークＮ２を介して受信したデータ、あるいはそれらのデータを複数結合して生成されたデータをＩＰネットワークＮ２の通信制御のために用いられるデータを除去して、ベースバンド信号処理部ａ２２に出力する。
また、ＩＰ通信部ａ２１は、ベースバンド信号処理部ａ２２から入力されたデータあるいはコアネットワークの通信に応じたサイズに分割したデータにＩＰネットワークＮ２の通信制御のために用いられるデータを付加し、ＩＰネットワークＮ２を介して他の装置に送信する。
【００５９】
ベースバンド信号処理部ａ２２は、ＩＰ通信部ａ２１から入力されたデータをユーザデータとし、このユーザデータと制御部ａ２５から入力された制御データとに対して、データを攪拌するスクランブル処理、符号化処理、及び変調処理を行う。ベースバンド信号処理部ａ２２は、これらの処理を行って生成した信号を、無線リソース（時間周波数帯域）にマッピングする。ベースバンド信号処理部ａ２２は、マッピングした信号に対して周波数時間変換（逆フーリエ変換）を行う。ベースバンド信号処理部ａ２２は、周波数時間変換した信号に対してＣＰ挿入処理を行う。ベースバンド信号処理部ａ２２は、ＣＰ挿入処理を行った信号のうち周波数バンド１のフェムトセル専用ＣＣ（ＣＣ１）、優先ＣＣ（ＣＣ２）、及び優先ＣＣ以外の共通ＣＣ（周波数バンド２）に配置する信号を、それぞれ制御部ａ２５からの制御に従って、専用ＣＣ無線部ａ２３１、優先ＣＣ無線部ａ２３２、共通ＣＣ無線部ａ２３３に出力する。
【００６０】
また、ベースバンド信号処理部ａ２２は、専用ＣＣ無線部ａ２３１、優先ＣＣ無線部ａ２３２、共通ＣＣ無線部ａ２３３から入力された信号に対して、ＣＰ除去処理を行う。ベースバンド信号処理部ａ２２は、ＣＰ除去処理を行った信号に対して、時間周波数変換（フーリエ変換）を行う。ベースバンド信号処理部ａ２２は、時間周波数変換を行った信号を、制御部ａ２５からの制御に従って無線リソースからデマッピングする。ベースバンド信号処理部ａ２２は、デマッピングした信号に対して、復調処理、復号化処理、及びスクランブル解除処理を行う。ここで、このスクランブル解除処理は、スクランブル処理でのデータの攪拌と逆の処理である。ベースバンド信号処理部ａ２２は、これらの処理を行って生成したデータを、無線通信の制御に用いる制御データと制御データ以外のユーザデータとに分割する。ベースバンド信号処理部ａ２２は、分割したデータのうち制御データを制御部ａ１５に出力し、ユーザデータをＩＰ通信部ａ２１に出力する。
【００６１】
専用ＣＣ無線部ａ２３１は、ベースバンド信号処理部ａ２２から入力された信号をデジタル・アナログ変換し、変換したアナログ信号をベースバンド帯からフェムトセル専用ＣＣの無線周波数帯にアップコンバートし、アンテナａ２４１を介して移動局装置ｍ１へ送信する。
また、専用ＣＣ無線部ａ２３１は、移動局装置ｍ１からの信号をアンテナａ２４１を介して受信し、フェムトセル専用ＣＣの無線周波数帯からベースバンド帯に受信した信号をダウンコンバートする。専用ＣＣ無線部ａ２３１は、ダウンコンバートした信号を、アナログ・デジタル変換し、変換した信号をベースバンド信号処理部ａ２２に出力する。
【００６２】
このように、専用ＣＣ無線部ａ２３１は、フェムトセル専用ＣＣについて処理を行う。一方、優先ＣＣ無線部ａ２３２、共通ＣＣ無線部ａ２３３は、それぞれ、専用ＣＣ無線部ａ２３１と同じ処理を、優先ＣＣ、優先ＣＣ以外の共通ＣＣについて行う。例えば、優先ＣＣ無線部ａ２３２は、図２のＣＣ２に信号を配置して送信し、また、ＣＣ２に配置された信号を受信する。同様に、共通ＣＣ無線部ａ２３３は、図２の周波数バンド２のＣＣ３、４に信号を配置して送信し、また、ＣＣ３、４に配置された信号を受信する。
【００６３】
制御部ａ２５は、移動局装置ｍ１の認証を行い、自装置への無線接続を許可するか否かを判定し、許可すると判定した移動局装置ｍ１と無線接続する。
また、制御部ａ２５は、通信プロトコルに従って、ＩＰ通信部ａ２１、ベースバンド信号処理部ａ２２、無線部ａ２３を制御する。例えば、制御部ａ２５は、無線通信プロトコルに従って、ベースバンド信号処理部ａ２２を制御し、マッピングやデマッピング、符号化処理、復号化処理、変調処理、及び復調処理等の各種処理を行わせる。
また、例えば、制御部ａ２５は、ベースバンド信号処理部ａ２２が送信するユーザデータのデータ量、無線部が各ＣＣを用いて送信する信号の容量、各ＣＣを用いて受信した信号の容量を測定する。また、制御部ａ２５は、移動局装置ｍ１が測定した周波数帯域（例えば、ＣＣ）毎の無線品質情報を各移動局装置ｍ１が送信した制御データとして取得する。制御部ａ２５は、測定結果、及び取得した無線品質情報に基づいて各移動局装置ｍ１との無線通信に用いるＣＣを決定する。
次に、制御部ａ２５の詳細について説明をする。
【００６４】
図５は、本実施形態に係るフェムトセル基地局装置ａ２の制御部ａ２５の構成を示す概略ブロック図である。この図において、制御部ａ２５は、認証部ａ２５１、接続装置記憶部ａ２５２、周波数帯域情報記憶部ａ２５３、周波数帯域情報提供部ａ２５４、無線品質情報取得部ａ２５５、通信帯域選択部ａ２５６、通信帯域情報記憶部ａ２５７、無線制御部ａ２５８を含んで構成される。
【００６５】
認証部ａ２５１は、自装置への接続を許可する移動局装置ｍ１のＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ；国際移動体装置識別番号）、又は電話番号等の移動局装置識別情報を予め記憶する。認証部ａ２５１は、移動局装置ｍ１から取得した接続要求（又はセル移行要求）の移動局装置識別情報と、予め記憶する移動局装置識別情報と、が一致するか否かを判定する。認証部ａ２５１は、一致すると判定した場合、その移動局装置に接続を許可し、一方、一致しないと判定した場合、その移動局装置ｍ１に接続を許可しない。認証部ａ２５１は、接続を許可した移動局装置ｍ１の移動局装置識別情報を接続装置記憶部ａ２５２に記憶する。
また、認証部ａ２５１は、接続が終了した移動局装置ｍ１の移動局装置識別情報を接続装置記憶部ａ２５２から削除する。
【００６６】
周波数帯域情報記憶部ａ２５３は、各ＣＣ１〜４の周波数帯域等の情報と、各ＣＣ１〜４がフェムトセル専用ＣＣであるか、共通ＣＣであるか、共通ＣＣである場合には、優先ＣＣであるか否かの情報と、を周波数帯域情報として記憶する。図２の一例では、ＣＣ１がフェムトセル専用ＣＣであり、ＣＣ２が共通ＣＣの優先ＣＣであり、周波数帯域情報記憶部ａ２５３は、ＣＣ３、４が優先ＣＣ以外の共通ＣＣであることを記憶する。なお、フェムトセル専用ＣＣは、通常、全てのフェムトセル基地局装置ａ２で共通である（本実施形態ではＣＣ１）。
周波数帯域情報提供部ａ２５４は、周波数帯域情報記憶部ａ２５３が記憶する周波数帯域情報を、移動局装置ｍ１へ送信する制御データとして、ベースバンド信号処理部ａ２２に出力する。この制御データは、信号として報知チャネル又は個別チャネルに配置され移動局装置ｍ１へ送信される。
【００６７】
無線品質情報取得部ａ２５５は、ベースバンド信号処理部ａ２２から入力された制御データから、移動局装置ｍ１が測定した周波数帯域（例えば、ＣＣ）毎の無線品質情報を抽出する。無線品質情報取得部ａ２５５は、抽出した無線品質情報を通信帯域選択部ａ２５６に出力する。
通信帯域選択部ａ２５６は、移動機がフェムトセルに移行してきた場合には、次のようにして移動局装置ｍ１各々との通信に用いるＣＣを選択し、移動局装置ｍ１とその移動局装置ｍ１に対して選択したＣＣの情報を、通信帯域情報として通信帯域情報記憶部ａ２５７に記憶する。ここで、通信帯域選択部ａ２５６は、接続装置記憶部ａ２５２が記憶する移動局装置識別情報の移動局装置ｍ１、つまり、接続を許可した移動局装置ｍ１に対してのみＣＣの選択を行う。
【００６８】
通信帯域選択部ａ２５６は、無線品質情報取得部ａ２５５から入力された無線品質情報のうち優先ＣＣ（ＣＣ２）の無線品質情報が、予め定めた閾値より小さいか大きいかを判定する。予め定めた閾値より小さい（無線品質が低い）と判定した場合、通信帯域選択部ａ２５６は、周波数帯域情報記憶部ａ２５３が記憶する周波数帯域情報がフェムトセル専用ＣＣ（ＣＣ１）であるものをアンカーキャリアとして選択する（アンカーキャリアとして選択したＣＣをアンカーキャリアＣＣという）。一方、予め定めた閾値より大きい（無線品質が高い）と判定した場合、周波数帯域情報記憶部ａ２５３が記憶する周波数帯域情報が優先ＣＣ（ＣＣ２）をアンカーキャリアとして選択する。
【００６９】
フェムトセル専用ＣＣをアンカーキャリアとして選択した場合、通信帯域選択部ａ２５６は、フェムトセル専用ＣＣを移動局装置ｍ１と通信を行うＣＣ（移動局装置ｍ１と通信を行うＣＣを通信ＣＣという）として選択する。一方、優先ＣＣをアンカーキャリアとして選択した場合、通信帯域選択部ａ２５６は、自装置が通信に用いることができるＣＣ（ＣＣ１〜４）の一部又は全部を移動局装置ｍ１と通信ＣＣとして選択する。例えば、通信帯域選択部ａ２５６は、測定結果（ユーザデータのデータ量等）、及び各ＣＣの無線品質情報に基づいて各移動局装置ｍ１との無線通信に用いるＣＣを決定する。
通信帯域選択部ａ２５６は、移動局装置ｍ１毎に選択したアンカーキャリアＣＣ及び通信ＣＣの情報を、通信帯域情報として通信帯域情報記憶部ａ２５７に記憶する。
【００７０】
無線制御部ａ２５８（基地局無線制御部）は、通信帯域情報記憶部ａ２５７が記憶する通信帯域情報を、その通信帯域情報のＣＣを通信に用いる移動局装置ｍ１へ送信する制御データとしてベースバンド信号処理部ａ２２に出力する。
また、無線制御部ａ２５８は、通信帯域情報記憶部ａ２５７が記憶する通信帯域情報に基づいて、ベースバンド信号処理部ａ２２、無線部ａ２３を制御する。具体的には、無線制御部ａ２５８は、移動局装置ｍ１への送信する着信通知の信号を、通信帯域情報のアンカーキャリアＣＣにマッピングさせる。また、無線制御部ａ２５８は、移動局装置ｍ１への送信する信号を、通信帯域情報の通信ＣＣにマッピングさせる。また、無線制御部ａ２５８は、移動局装置ｍ１から受信した信号を、通信帯域情報の通信ＣＣから取得する制御をおこなう。
【００７１】
例えば、通信帯域情報のアンカーキャリアＣＣ及び通信ＣＣがＣＣ１である場合、無線制御部ａ２５８は、ＣＣ１に信号をマッピングさせ、また、ＣＣ１から信号を取得する。なお、この場合、この移動局装置ｍ１との通信は、専用ＣＣ無線部ａ２３１のみを介して行われる。
また、例えば、通信帯域情報のアンカーキャリアＣＣがＣＣ２、通信ＣＣがＣＣ１〜４である場合、無線制御部ａ２５８は、ＣＣ２に着信通知の信号をマッピングさせる。また、無線制御部ａ２５８は、ＣＣ１、２にマッピングさせた信号を、それぞれ、専用ＣＣ無線部ｃ２３１でフェムトセル専用ＣＣに配置し、優先ＣＣ無線部ａ２３２で優先ＣＣに配置して送信させる。また、無線制御部ａ２５８は、ＣＣ３、４にマッピングさせた信号を、共通ＣＣ無線部ａ２３３で優先ＣＣ以外の共通ＣＣに配置して送信させる。
【００７２】
また、無線制御部ａ２５８は、全ての移動局装置ｍ１について、通信帯域情報のアンカーキャリアＣＣ及び通信ＣＣがフェムトセル専用ＣＣである場合、フェムトセル専用ＣＣ及び優先ＣＣ以外のＣＣ、つまり、優先ＣＣ以外の共通ＣＣに信号を配置する共通ＣＣ無線部ａ２３３の電源を切る。これにより、フェムトセル基地局装置ａ２は、自装置が消費する消費電力を低減することができる。また、仮に、この場合にも、共通ＣＣ無線部ａ２３３から信号を送信する場合、つまり、優先ＣＣ以外の共通ＣＣで信号を送信する場合、このＣＣでフェムトセルの信号とマクロセルの信号とが干渉し、このＣＣを用いてマクロセルと通信を行っている移動局装置ｍ１では無線品質が低下する。フェムトセル基地局装置ａ２は、無線制御部ａ２５８が共通ＣＣ無線部ａ２３３の電源を切るので、このような干渉を発生させず、マクロセル基地局装置ａ１と移動局装置ｍ１との通信の無線品質が低下することを防止することができる。
【００７３】
また、無線制御部ａ２５８は、接続装置記憶部ａ２５２が記憶する移動局装置識別情報がない場合、つまり、自装置と接続している移動局装置ｍ１がない場合、優先ＣＣ無線部ａ２３２及び共通ＣＣ無線部ａ２３３の電源を切る。フェムトセルでは、特定の移動局装置ｍ１しか接続されないことから、フェムトセル基地局装置ａ２に移動局装置ｍ１が全く接続されていない状態が頻繁に発生する。これにより、フェムトセル基地局装置ａ２は自装置が消費する消費電力を低減することができる。また、フェムトセル基地局装置ａ２は、共通ＣＣでフェムトセルの信号とマクロセルの信号が干渉することを防止し、マクロセル基地局装置ａ１と移動局装置ｍ１との通信の無線品質が低下することを防止することができる。なお、この状態で、移動局装置ｍ１と接続をした場合には、まず、無線制御部ａ２５８は、優先ＣＣ無線部ａ２３２のみ電源を入れる。その後、通信帯域選択部ａ２５６がアンカーキャリアＣＣに優先ＣＣを選択した場合には、共通ＣＣ無線部ａ２３３の電源も入れる。
【００７４】
なお、図４のフェムトセル基地局装置ａ２では、１個の無線部に対して１個のアンテナが接続されている場合について説明したが、本発明はこれに限らず、１個の無線部に対して複数個のアンテナが接続されていてもよい。この場合、フェムトセル基地局装置ａ２はＭＩＭＯ方式の通信を行ってもよい。また、フェムトセル基地局装置ａ２では、１個のアンテナを介して信号の送信及び受信を行う場合について説明したが、本発明はこれに限らず、フェムトセル基地局装置ａ２が送信アンテナ及び受信アンテナを備え、それぞれを介して、信号の送信及び受信を行ってもよい。
また、図４のフェムトセル基地局装置ａ２では、フェムトセル専用ＣＣ、優先ＣＣ、及び、優先ＣＣ以外の共通ＣＣに対して、それぞれ、専用ＣＣ無線部ａ２３１、優先ＣＣ無線部ａ２３２、及び共通ＣＣ無線部ａ２３３を備える場合について説明をした。しかし、本発明はこれに限らず、周波数バンド毎に無線部を備え、周波数バンド１について処理をする無線部で、フェムトセル専用ＣＣ、優先ＣＣに信号を配置する制御を行ってもよい。
【００７５】
＜移動局装置ｍ１の構成について＞
図６は、本実施形態に係る移動局装置ｍ１の構成を示す概略ブロック図である。この図において、移動局装置ｍ１は、アンテナｍ１１１〜ｍ１１３、無線部ｍ１２、ベースバンド信号処理部ｍ１３、アプリケーション処理部ｍ１４、及び制御部ｍ１５を含んで構成される。無線部ｍ１２は、周波数バンド１無線部ｍ１２１、周波数バンド２無線部ｍ１２２、及び周波数バンド３無線部ｍ１２３を含んで構成される。
【００７６】
周波数バンド１無線部ｍ１２１は、マクロセル基地局装置ａ１又はフェムトセル基地局装置ａ２からの信号をアンテナｍ１１１を介して受信し、周波数バンド１の無線周波数帯からベースバンド帯に受信した信号をダウンコンバートする。周波数バンド１無線部ｍ１２１は、ダウンコンバートした信号を、アナログ・デジタル変換し、変換した信号をベースバンド信号処理部ｍ１３に出力する。
また、周波数バンド１無線部ｍ１２１は、ベースバンド信号処理部ｍ１３から入力された信号をデジタル・アナログ変換し、変換したアナログ信号をベースバンド帯から周波数バンド１の無線周波数帯にアップコンバートし、アンテナｍ１１１を介してマクロセル基地局装置ａ１又はフェムトセル基地局装置ａ２へ送信する。
【００７７】
このように、周波数バンド１無線部ｍ１２１は、周波数バンド１について処理を行う。例えば、周波数バンド１無線部ｍ１２１は、図２のＣＣ１、２に信号を配置して送信し、また、ＣＣ１、２に配置された信号を受信する。
一方、周波数バンド２無線部ｍ１２２、周波数バンド３無線部ｍ１２３は、それぞれ、周波数バンド１無線部ｍ１２１と同じ処理を、周波数バンド２、３について行う。例えば、周波数バンド２無線部ｍ１２２は、図２のＣＣ３、４に信号を配置して送信し、また、ＣＣ３、４に配置された信号を受信する。同様に、周波数バンド３無線部ｍ１２３は、図２のＣＣ５、６に信号を配置して送信し、また、ＣＣ５、６に配置された信号を受信する。
【００７８】
ベースバンド信号処理部ｍ１３は、周波数バンド１無線部ｍ１２１、周波数バンド２無線部ｍ１２２、周波数バンド３無線部ｍ１２３から入力された信号に対して、ＣＰ除去処理を行う。ベースバンド信号処理部ｍ１３は、ＣＰ除去処理を行った信号に対して、時間周波数変換（フーリエ変換）を行う。ベースバンド信号処理部ｍ１３は、時間周波数変換を行った信号を、制御部ａ１５からの制御に従って無線リソースからデマッピングする。ベースバンド信号処理部ｍ１３は、デマッピングした信号に対して、復調処理、復号化処理、及びスクランブル解除処理を行う。ベースバンド信号処理部ｍ１３は、これらの処理を行って生成したデータを、無線通信の制御に用いる制御データと制御データ以外のユーザデータとに分割する。ベースバンド信号処理部ｍ１３は、分割したデータのうち制御データを制御部ｍ１５に出力し、ユーザデータをアプリケーション処理部ｍ１４に出力する。
【００７９】
また、ベースバンド信号処理部ｍ１３は、アプリケーション処理部ｍ１４から入力されたデータをユーザデータとし、このユーザデータと制御部ｍ１５から入力された制御データとに対して、スクランブル処理、符号化処理、及び変調処理を行う。ベースバンド信号処理部ｍ１３は、これらの処理を行って生成した信号を、制御部ｍ１５からの制御に従って、無線リソース（時間周波数帯域）にマッピングする。ベースバンド信号処理部ｍ１３は、マッピングした信号に対して周波数時間変換（逆フーリエ変換）を行う。ベースバンド信号処理部ｍ１３は、周波数時間変換した信号に対してＣＰ挿入処理を行う。ベースバンド信号処理部ｍ１３は、ＣＰ挿入処理を行った信号のうち周波数バンド１、２、３に配置する信号を、それぞれ、周波数バンド１無線部ｍ１２１、周波数バンド２無線部ｍ１２２、周波数バンド３無線部ｍ１２３に出力する。
【００８０】
アプリケーション処理部ｍ１４は、ベースバンド信号処理部ｍ１３から入力されたユーザデータを、音声や画像として出力する。また、ユーザからの入力情報を取得し、他の装置宛のデータを生成する。アプリケーション処理部ｍ１４は、生成したデータをベースバンド信号処理部ｍ１３に出力する。
【００８１】
制御部ｍ１５は、通信プロトコルに従って、無線部ｍ１２、ベースバンド信号処理部ｍ１３、アプリケーション処理部ｍ１４を制御する。例えば、制御部ｍ１５は、セルサーチを行い、その結果、接続をするマクロセル基地局装置ａ１又はフェムトセル基地局装置ａ２を選択する。
また、例えば、制御部ｍ１５は、接続したマクロセル基地局装置ａ１又はフェムトセル基地局装置ａ２から通知された情報を用いてマッピングやデマッピング、符号化処理、復号化処理、変調処理、及び復調処理等の各種処理を行わせる。
また、制御部ｍ１５は、通信の無線品質を測定し、測定結果の無線品質情報をマクロセル基地局装置ａ１又はフェムトセル基地局装置ａ２へ送信させる。
次に、制御部ｍ１５の詳細について説明をする。
【００８２】
図７は、本実施形態に係る移動局装置ｍ１の制御部ｍ１５の構成を示す概略ブロック図である。この図において、制御部ｍ１５は、周波数帯域情報取得部ｍ１５１、周波数帯域情報記憶部ｍ１５２、無線品質測定部ｍ１５３、接続基地局選択部ｍ１５４、無線品質提供部ｍ１５５、通信帯域情報取得部ｍ１５６、通信帯域情報記憶部ｍ１５７、及び無線制御部ｍ１５８を含んで構成される。
【００８３】
周波数帯域情報取得部ｍ１５１は、ベースバンド信号処理部ｍ１３から入力された制御データから周波数帯域情報を抽出する。なお、この周波数帯域情報には、マクロセル基地局装置ａ１が送信した又は予め記憶する各ＣＣ５、６の周波数帯域等の情報も含まれる。周波数帯域情報取得部ｍ１５１は、抽出した周波数帯域情報を周波数帯域情報記憶部ｍ１５２に記憶する。また、周波数帯域情報記憶部ｍ１５２は、初期状態では、ＣＣ１をフェムトセル専用ＣＣとしてＣＣ１の情報を記憶する。
無線品質測定部ｍ１５３は、周波数帯域情報記憶部ｍ１５２が記憶する周波数帯域情報に基づいて、定期的に、周波数帯域（例えば、ＣＣ）毎の無線品質を測定する。無線品質測定部ｍ１５３は、測定結果の無線品質情報を、接続基地局選択部ｍ１５４及び無線品質提供部ｍ１５５に出力する。
【００８４】
接続基地局選択部ｍ１５４は、無線品質測定部ｍ１５３から入力された無線品質情報に基づいて、接続するマクロセル基地局装置ａ１又はフェムトセル基地局装置ａ２を選択する。具体的には、接続基地局選択部ｍ１５４は、接続するフェムトセル基地局装置ａ２のフェムトセルの識別情報（フェムトセル識別情報という）を予め記憶する。接続基地局選択部ｍ１５４は、フェムトセル基地局装置ａ２が送信した信号からフェムトセル識別情報を抽出し、抽出したフェムトセル識別情報と、予め記憶するフェムトセル識別情報と、が一致するか否かを判定する。接続基地局選択部ｍ１５４は、一致すると判定した場合、接続要求（又はセル移行要求）をフェムトセル基地局装置ａ２へ送信するデータとして、ベースバンド信号処理部ｍ１３に出力する。一方、一致しないと判定した場合、接続要求を出力しない。
【００８５】
無線品質提供部ｍ１５５は、無線品質測定部ｍ１５３から入力された無線品質情報を、フェムトセル基地局装置ａ２へ送信するデータとして、ベースバンド信号処理部ｍ１３に出力する。
通信帯域情報取得部ｍ１５６は、ベースバンド信号処理部ｍ１３から入力された制御データから、自装置と接続したマクロセル基地局装置ａ１又はフェムトセル基地局装置ａ２との通信に用いるＣＣの情報を示す通信帯域情報を抽出する。通信帯域情報取得部ｍ１５６は、抽出した通信帯域情報を通信帯域情報記憶部ｍ１５７に記憶する。
【００８６】
無線制御部ｍ１５８（移動局無線制御部）は、通信帯域情報記憶部ｍ１５７が記憶する通信帯域情報に基づいて、ベースバンド信号処理部ｍ１３、無線部ｍ１２を制御する。具体的には、無線制御部ｍ１５８は、通信帯域情報のアンカーキャリアＣＣをモニタし、そのＣＣから移動局装置ｍ１への送信する着信通知の信号を抽出する。
ここで、上述のように、フェムトセル基地局装置ａ２は、無線品質情報に基づいて通信アンカーキャリアを選択している。つまり、無線制御部ｍ１５８は、優先ＣＣの無線品質が予め定めた閾値より高い場合に、優先ＣＣで着信通知を監視し、優先ＣＣの無線品質が予め定めた閾値より低い場合に、フェムトセル専用ＣＣで着信通知を監視する。
【００８７】
また、無線制御部ｍ１５８は、接続したマクロセル基地局装置ａ１又はフェムトセル基地局装置ａ２から受信した信号を、通信帯域情報の通信ＣＣから復調する。また、無線制御部ｍ１５８は、接続したマクロセル基地局装置ａ１又はフェムトセル基地局装置ａ２への送信する信号を、通信帯域情報の通信ＣＣにマッピングさせる。
ここで、上述のように、フェムトセル基地局装置ａ２は、無線品質情報に基づいて通信ＣＣを選択している。つまり、無線制御部ｍ１５８は、優先ＣＣの無線品質が予め定めた閾値より高い場合に、優先ＣＣを用いてフェムトセル基地局装置ａ２と通信を行う制御をし、優先ＣＣの無線品質が予め定めた閾値より低い場合に、フェムトセル専用ＣＣを用いてフェムトセル基地局装置ａ２と通信を行う制御をする。
なお、以上の説明では移動局装置ｍ１がフェムトセル基地局装置ａ２を選択する場合について説明したが、本発明はこれに限らず、フェムトセル基地局装置ａ２の選択は、マクロセル基地局装置ａ１からの指示を元に開始してもよい。この場合、移動局装置ｍ１はフェムトセル基地局装置ａ２も含め受信品質をマクロセル基地局装置ａ１に報告する。マクロセル基地局装置ａ１は、移動局装置ｍ１より報告された受信品質より、フェムトセル基地局ａ２へのセル移行を移動局装置ｍ１に対して制御情報により指示する。移動局装置ｍ１においては、マクロセル基地局ａ１から指示されるとそのフェムトセル基地局装置ａ２が、自身が接続可能な基地局装置であるかどうかを判定し、接続可能な基地局装置であればセル移行処理を行う。接続可能な基地局装置ではない場合は、移動局装置ｍ１はマクロセル基地局装置ａ１にセル移行失敗を通知することで、現在のマクロセル基地局装置ａ１との接続を維持することができる。
【００８８】
図８は、本実施形態に係る無線通信システムの動作の一例を示すシーケンス図である。この図は、移動局装置ｍ１（ＭＳ）がマクロセル（例えば図１のマクロセルＣ１１）からフェムトセル（例えば図１のフェムトセルＣ２１）に移行（セル移行）する場合の動作およびフェムトセルにおける移動局装置ｍ１とフェムトセル基地局ａ２の動作を示す。なお、マクロセルでは、移動局装置ｍ１はマクロセル基地局装置ａ１と、図２の一例と同様にＣＣ２〜６を用いて通信を行う。また、フェムトセルでは、移動局装置ｍ１はフェムトセル基地局装置ａ２と、図２の一例と同様にＣＣ１〜４を用いて通信を行う。ここで、ＣＣ１はフェムトセル専用ＣＣであり、ＣＣ２は優先ＣＣである。
【００８９】
（ステップＳ１０１）移動局装置ｍ１では、マクロセル基地局装置ａ１に接続されている。移動局装置ｍ１は、ユーザ操作によるブラウザ閲覧要求等のパケット通信要求が発生する。その後、ステップＳ１０２へ進む。
（ステップＳ１０２）マクロセル基地局装置ａ１は、パケット通信で比較的データ量が多い通信を行う場合、移動局装置ｍ１にＣＣ２〜ＣＣ６の全てのＣＣを割り当てる。移動局装置ｍ１は、割り当てられたＣＣ２〜ＣＣ６を用いてマクロセル基地局装置ａ１と通信（キャリアアグリケーション技術の通信）を行う。その後、ステップＳ１０３へ進む。
なお、このままマクロセル基地局装置ａ１に接続している間は、移動局装置ｍ１は、フェムトセルの状態によらず、通信（キャリアアグリケーション技術の通信）を行う。
（ステップＳ１０３）移動局装置ｍ１は、ステップＳ１０２で通信が終了した場合、マクロセル基地局装置ａ１からの信号の待ち受け状態となる。その後、ステップＳ１０４へ進む。
【００９０】
（ステップＳ１０４）移動局装置ｍ１は、周辺セル（マクロセル及びフェムトセル）の無線品質を測定する。ここで、移動局装置ｍ１は、フェムトセル専用ＣＣ（ＣＣ１）の周波数帯域でフェムトセルの信号の有無を判定する。フェムトセルの信号を検出した場合、ステップＳ１０５へ進む。
（ステップＳ１０５）移動局装置ｍ１は、フェムトセル専用ＣＣ（ＣＣ１）の周波数帯域でセル移行要求をフェムトセル基地局装置ａ２へ送信する。その後、ステップＳ１０６へ進む。
（ステップＳ１０６）フェムトセル基地局装置ａ２は、ステップＳ１０５でセル移行要求を送信した移動局装置ｍ１の移動局装置識別情報を、接続を許可する移動局装置識別情報として記憶しているか否かを判定する。なお、３ＧＰＰの規格に準拠した移動局装置ｍ１では、移動局装置ｍ１に（Ｕ）ＳＩＭカードを挿入するが、移動局装置識別情報としては、この（Ｕ）ＳＩＭカードの保存されている、ＭＳＩＳＤＮ（電話番号）、ＩＭＳＩ、ＴＭＳＩ等のデータが用いられる。移動局装置識別情報を記憶していると判定した場合、フェムトセル基地局装置ａ２は、移動局装置ｍ１の接続（セル移行）を許可する。その後、ステップＳ１０７へ進む。
なお、移動局装置識別情報を記憶していないと判定した場合、フェムトセル基地局装置ａ２は、移動局装置ｍ１の接続（セル移行）を許可せず、マクロセルにて待ち受けしている状態へと戻る。その後通信が発生した場合は、ステップＳ１０１へ戻る（図示せず）。
【００９１】
（ステップＳ１０７）移動局装置ｍ１は、フェムトセル基地局装置ａ２への接続処理（セル移行処理）を行う。その後、ステップＳ１０８へ進む。
（ステップＳ１０８）移動局装置ｍ１は、ＣＣ１をアンカーキャリアＣＣとし、また、ＣＣ１からフェムトセル基地局装置ａ２が送信した周波数帯域情報を取得する。この周波数帯域情報では、優先ＣＣを示す情報（ＣＣ２）が含まれている。移動局装置ｍ１は、優先ＣＣの無線品質を定期的に測定し、測定結果として無線品質情報をフェムトセル基地局装置ａ２へ送信する。その後、ステップＳ１０９へ進む。
【００９２】
（ステップＳ１０９）フェムトセル基地局装置ａ２は、ステップＳ１０８で送信された無線品質情報が、予め定めた閾値より小さいか大きいかを判定する。予め定めた閾値より小さいと判定した場合、移動局装置ｍ１は、そのままＣＣ１をアンカーキャリアＣＣとして、フェムトセル基地局装置ａ２からの信号の待ち受け状態となる。その後、ステップＳ１１１へ進む。
なお、予め定めた閾値より大きいと判定した場合、ステップＳ１２へ進む。
【００９３】
ステップＳ１１（ステップＳ１１１〜Ｓ１１７）は、アンカーキャリアＣＣがＣＣ１である場合に移動局装置ｍ１がフェムトセル基地局装置ａ２と通信を行う場合の動作を示す部分である。
（ステップＳ１１１）移動局装置ｍ１では、ユーザ操作によるブラウザ閲覧要求等のパケット通信要求が発生する。その後、ステップＳ１１２へ進む。
（ステップＳ１１２）移動局装置ｍ１では、アンカーキャリアＣＣであるＣＣ１を用いて通信パケットの送受信を要求するパケット接続要求をフェムトセル基地局装置ａ２へ送信する。その後、ステップＳ１１３へ進む。
【００９４】
（ステップＳ１１３）フェムトセル基地局装置ａ２は、通信パケットの送受信処理のための接続（パケット接続という）処理を行う。その後、ステップＳ１１４へ進む。
（ステップＳ１１４）移動局装置ｍ１は、ＣＣ１を用いてフェムトセル基地局装置ａ２と通信を行って通信パケットを送受信する。その後、ステップＳ１１５へ進む。
（ステップＳ１１５）移動局装置ｍ１は、ステップＳ１１４で通信が完了した場合、パケット接続の解放することを要求するパケット接続解放要求をフェムトセル基地局装置ａ２へ送信する。その後、ステップＳ１１６へ進む。
（ステップＳ１１６）フェムトセル基地局装置ａ２は、パケット接続を解放する処理（パケット接続解放処理）を行う。その後、ステップＳ１１７へ進む。
（ステップＳ１１７）移動局装置ｍ１は、アンカーキャリアＣＣ（ＣＣ１）でフェムトセル基地局装置ａ２からの信号の待ち受け状態となる。その後、ＣＣ２の受信品質が予め定めた閾値より大きいと判定した場合ステップＳ１２１へ進む。ＣＣ２の受信品質があらかじめ定めた閾値より低いと判定した場合は、通信が発生するごとにＳ１１の処理を行う。
【００９５】
ステップＳ１２（ステップＳ１２１〜Ｓ１２５）は、アンカーキャリアＣＣを優先ＣＣに変更する（ＨＯ；ＨａｎｄＯｖｅｒ）場合の動作を示す部分である。
（ステップＳ１２１）移動局装置ｍ１は、優先ＣＣの無線品質を定期的に測定する。その後、ステップＳ１２２へ進む。
（ステップＳ１２２）は、ステップＳ１２２での測定結果として無線品質情報をフェムトセル基地局装置ａ２へ送信する。その後、ステップＳ１１３へ進む。
（ステップＳ１２３）フェムトセル基地局装置ａ２は、ステップＳ１２１で送信された無線品質情報が、予め定めた閾値より大きいと判定した場合、優先ＣＣ（ＣＣ２）をアンカーキャリアＣＣとして選択する。フェムトセル基地局装置ａ２は、ＣＣ２をアンカーキャリアＣＣとした通信帯域情報（アンカーキャリア変更要求）を移動局装置ｍ１に送信する。
【００９６】
（ステップＳ１２４）移動局装置ｍ１はアンカーキャリアＣＣをＣＣ１からＣＣ２に変更する。その後、ステップＳ１２５へ進む。
（ステップＳ１２５）移動局装置ｍ１は、ＣＣ２をアンカーキャリアＣＣとして、フェムトセル基地局装置ａ２からの信号の待ち受け状態となる。その後、ステップＳ１３１へ進む。
【００９７】
ステップ１３（ステップＳ１３１〜Ｓ１３７）は、アンカーキャリアＣＣがＣＣ２である場合に移動局装置ｍ１がフェムトセル基地局装置ａ２と通信を行う場合の動作を示す部分である。
（ステップＳ１３１）移動局装置ｍ１では、ユーザ操作によるブラウザ閲覧要求等のパケット通信要求が発生する。その後、ステップＳ１３２へ進む。
（ステップＳ１３２）移動局装置ｍ１では、アンカーキャリアＣＣであるＣＣ２を用いて通信パケットの送受信を要求するパケット接続要求をフェムトセル基地局装置ａ２へ送信する。その後、ステップＳ１３３へ進む。
【００９８】
（ステップＳ１３３）フェムトセル基地局装置ａ２は、パケット接続処理を行う。その後、ステップＳ１３４へ進む。
（ステップＳ１３４）移動局装置ｍ１は、共通ＣＣを含む通信ＣＣを用いてフェムトセル基地局装置ａ２と通信（キャリアアグリケーション技術の通信）を行って通信パケットを送受信する。ここで、移動局装置ｍ１は、ＣＣ１〜４の無線品質を測定し、その測定結果としてＣＣ１〜４の無線品質情報を、フェムトセル基地局装置ａ２に送信する。なお、この測定及び測定結果の送信は定期的に行われる。フェムトセル基地局装置ａ２は、送信された各ＣＣの無線品質情報及びユーザデータのデータ量等に基づいて移動局装置ｍ１との無線通信に用いる通信ＣＣを決定する（図８の例ではＣＣ１〜４とする）。その後、ステップＳ１３５へ進む。
【００９９】
（ステップＳ１３５）移動局装置ｍ１は、ステップＳ１３４で通信が完了した場合、パケット接続解放要求をフェムトセル基地局装置ａ２へ送信する。その後、ステップＳ１３６へ進む。
なお、移動局装置ｍ１は、受信信号のマッピングが示されているＰＤＣＣＨ（物理ダウンリンク制御チャネル）の信号を取得する。ここで、ＰＤＣＣＨは、各ＣＣに配置される場合と、特定のＣＣに配置される場合とがある。どちらの配置で送信されるかは予め決められており、移動局装置ｍ１はＰＤＣＣＨを受信する可能性がある全てのＣＣのＰＤＣＣＨを受信する。自装置宛のＰＤＣＣＨが送信されていない場合は、ＰＤＳＣＨ（物理ダウンリンクシェアドチャネル）の受信は行わず、移動局装置ｍ１は次のＰＤＣＣＨを受信する。ＰＤＣＣＨにて自装置宛のスケジューリングデータを受信した場合には、移動局装置ｍ１は、ＰＤＣＣＨで示されたマッピングに従って、フェムトセル基地局装置ａ２より送信されたユーザデータの信号をリソースブロックから取得する。移動局装置ｍ１は、取得したユーザデータの信号を合成して復調処理等を行い、ユーザデータをブラウザ等で表示する。
（ステップＳ１３６）フェムトセル基地局装置ａ２は、パケット接続解放処理を行う。その後、ステップＳ１３７へ進む。
（ステップＳ１３７）移動局装置ｍ１は、アンカーキャリアＣＣ（ＣＣ２）でフェムトセル基地局装置ａ２からの信号の待ち受け状態となる。その後、通信が発生した場合はＳ１３の処理を繰り返す。また、ＣＣ２の受信品質が劣化しあらかじめ定められた閾値よりも低くなった場合は、Ｓ１２で示された手順と同様の手順でＣＣ-1へのＨＯ処理を行い、ＣＣ−１にて待ち受け状態となる。
【０１００】
なお、図８では、フェムトセル基地局装置ａ２の通信機能について説明した。
上述したように、フェムトセル基地局装置ａ２では、移動局装置ｍ１の接続状態によって無線品質を監視する周波数帯域が特定される。このため、移動局装置ｍ１の接続状態によって不要な無線部（例えば、共通ＣＣ無線部ａ２３３）の機能を停止させることが可能である。これにより、フェムトセル基地局装置ａ２では、消費電力を低減させることができる。また、フェムトセル基地局装置ａ２は、不要な無線部の電源を切るので、このような干渉を発生させず、マクロセル基地局装置ａ１と移動局装置ｍ１との通信の無線品質が低下することを防止することができる。
【０１０１】
図９は、本実施形態に係るフェムトセル基地局装置ａ２での電源制御の状態遷移を示す概略図である。なお、この図は、フェムトセル専用ＣＣがＣＣ１であり、優先ＣＣがＣＣ２である場合の図である。
符号Ｓ１を付した状態Ｓ１は、フェムトセル基地局装置ａ２の電源が切られている（電源ＯＦＦ）状態である。符号Ｓ２を付した状態Ｓ２は、フェムトセル専用ＣＣであるＣＣ１について処理を行う無線部（図４の専用ＣＣ無線部ａ２３１）の電源を入れた状態である（ＣＣ１起動）。符号３を付した状態Ｓ３は、優先ＣＣであるＣＣ２について処理を行う無線部（優先ＣＣ無線部ａ２３２）の電源を入れた状態である（ＣＣ１／ＣＣ２起動）。符号Ｓ４を付した状態Ｓ４は、優先ＣＣ以外の共通ＣＣについて処理を行う無線部（共通ＣＣ無線部ａ２３３の電源を入れた状態である（全てのＣＣを起動）。なお、電源を入れた無線部は、処理を行うＣＣに制御信号等の信号を送信する。
【０１０２】
状態Ｓ１のときに、フェムトセル基地局装置ａ２の電源が入れられると、フェムトセル基地局装置ａ２は状態Ｓ２に遷移する（ｐ１２）。なお、状態Ｓ２では、専用ＣＣ無線部ａ２３１のみ電源が入れられ、優先ＣＣ無線部ａ２３２及び共通ＣＣ無線部ａ２３３の電源は切られた状態である。移動局装置ｍ１は、フェムトセル専用ＣＣ１でフェムトセル基地局装置ａ２の信号の検出を行うので、フェムトセル基地局装置ａ２が専用ＣＣ無線部ａ２３１のみ電源を入れて信号を送信すれば、移動局装置ｍ１はフェムトセル基地局装置ａ２を検出することができる。
【０１０３】
状態Ｓ２のときに、フェムトセル基地局装置ａ２が移動局装置ｍ１から接続要求を受信した場合、つまり、マクロセルに接続していた移動局装置ｍ１がフェムトセルに接続する（キャンプオン）場合、フェムトセル基地局装置ａ２は状態Ｓ３に遷移する（Ｓ２３）。状態Ｓ３では、フェムトセル基地局装置ａ２が共通ＣＣ無線部ａ２３３の電源を入れて信号を送信するので、移動局装置ｍ１は、優先ＣＣ（ＣＣ２）で無線品質を測定することができる。この優先ＣＣでは、マクロセルの信号とフェムトセルの信号が干渉するので、移動局装置ｍ１は、信号の干渉状況を測定することができる。
【０１０４】
状態Ｓ３のときに、フェムトセル基地局装置ａ２と接続している移動局装置ｍ１がマクロセルへ移行した、又は接続していた移動局装置ｍ１の電源が切られた等により、フェムトセル基地局装置ａ２が自装置と接続している移動局装置ｍ１がないと判定した場合には、フェムトセル基地局装置ａ２状態Ｓ２に遷移する（ｐ３２）。
一方、状態Ｓ３のときに、フェムトセル基地局装置ａ２が移動局装置ｍ１のアンカーキャリアＣＣに優先ＣＣを選択した場合（優先ＣＣの無線品質が低い場合）、つまり、移動局装置ｍ１のアンカーキャリアをフェムトセル専用ＣＣから優先ＣＣに変更する場合、フェムトセル基地局装置ａ２は状態Ｓ４に遷移する（ｐ３４）。なお、状態Ｓ４では、全ての移動局装置ｍ１が待ち受け状態の場合には、優先ＣＣ以外の共通ＣＣが通信に用いられないが、通信が発生する場合に備えてこれらのＣＣの無線品質を定期的に測定させるため、フェムトセル基地局装置ａ２は共通ＣＣ無線部ａ２３３の電源を入れる。
【０１０５】
状態Ｓ４のときに、フェムトセル基地局装置ａ２が接続中の全ての移動局装置ｍ１のアンカーキャリアＣＣにフェムトセル専用ＣＣを選択した場合（優先ＣＣの無線品質が高い場合）、つまり、移動局装置ｍ１のアンカーキャリアを優先ＣＣからフェムトセル専用ＣＣに変更する場合、フェムトセル基地局装置ａ２は状態Ｓ３に遷移する（ｐ４３）。
【０１０６】
フェムトセル基地局装置ａ２は、以上のような状態遷移の処理を行うことにより、接続されている移動局装置ｍ１のアンカーキャリアＣＣに基づいて、各無線部の電源制御を行うことができる。
【０１０７】
以下、移動局装置ｍ１とフェムトセル基地局装置ａ２とがフェムトセル専用ＣＣのみを用いて通信をしている場合（例えば、図８のステップＳ１１４）に、マクロセルと接続している他の移動局装置ｍ１が移動する等によって共通ＣＣでの信号の干渉が低下し（共通ＣＣの無線品質が向上し）、共通ＣＣをも用いた通信（キャリアアグリケーション技術の通信）に移行する場合について説明をする。
【０１０８】
図１０は、本実施形態に係る移動局装置ｍ１の動作の一例を示すフローチャートである。
（ステップＳ３０１）移動局装置ｍ１は、ＣＣ１をアンカーキャリアＣＣとして、フェムトセル基地局装置ａ２からの信号の待ち受け状態となる。その後、ステップＳ３０２へ進む。
（ステップＳ３０２）移動局装置ｍ１では、ユーザ操作によるブラウザ閲覧要求等のパケット通信要求が発生する。移動局装置ｍ１では、アンカーキャリアＣＣであるＣＣ１を用いて通信パケットの送受信を要求するパケット接続要求をフェムトセル基地局装置ａ２へ送信する。その後、ステップＳ３０３へ進む。
【０１０９】
（ステップＳ３０３）移動局装置ｍ１は、フェムトセル基地局装置ａ２とパケット接続処理を行う。その後、ステップＳ３０４へ進む。
（ステップＳ３０４）移動局装置ｍ１は、パケット接続を確立し、ＣＣ１を用いて通信パケットの送受信処理を行う。なお、この状態ではＣＣ１のみを用いて通信を行うため、データの伝送速度は限定されたユーザデータが提供される。その後、ステップＳ３０５へ進む。
（ステップＳ３０５）移動局装置ｍ１は、通信パケットの送受信処理を行っている場合でも、優先ＣＣの無線品質を定期的に測定し、測定結果として無線品質情報をフェムトセル基地局装置ａ２へ送信する。その後、ステップＳ３０６へ進む。
【０１１０】
（ステップＳ３０６）移動局装置ｍ１は、ステップＳ３０５で送信した無線品質情報に基づいてフェムトセル基地局装置ａ２が選択したアンカーキャリアＣＣの情報を、通信帯域情報として受信する。移動局装置ｍ１は、受信した通信帯域情報のアンカーキャリアＣＣがＣＣ１であると判定した場合（Ｎｏ）、ステップＳ３０５へ戻る。一方、移動局装置ｍ１は、受信した通信帯域情報のアンカーキャリアＣＣがＣＣ２である（アンカーキャリア変更要求）と判定した場合（Ｙｅｓ）、ステップＳ３０７へ進む。
（ステップＳ３０７）移動局装置ｍ１はアンカーキャリアＣＣをＣＣ１からＣＣ２に変更する。その後、ステップＳ３０８へ進む。
【０１１１】
（ステップＳ３０８）移動局装置ｍ１は、共通ＣＣを含む通信ＣＣ（図１０では全てのＣＣ）を用いてフェムトセル基地局装置ａ２と通信（キャリアアグリケーション技術の通信）を行って通信パケットを送受信する。なお、この状態では全てのＣＣを用いて通信を行うため、データの伝送速度は限定されないため、データレートが高い高速の通信でユーザデータが提供される。その後、ステップＳ３０９進む。
（ステップＳ３０９）移動局装置ｍ１は、ステップＳ３０８の通信が終了した場合、通信中にアンカーキャリアの移行処理が完了しているため、アンカーキャリアＣＣ（ＣＣ２）でフェムトセル基地局装置ａ２からの信号の待ち受け状態となる。
【０１１２】
図１０では、移動局装置ｍ１とフェムトセル基地局装置ａ２とがフェムトセル専用ＣＣのみを用いて通信をしている場合に、共通ＣＣでの信号の干渉が低下し（共通ＣＣの無線品質が向上し）、共通ＣＣをも用いた通信に移行する場合について説明をした。なお、逆も同様であり、フェムトセル基地局装置ａ２は、共通ＣＣを用いて通信をしている場合に、マクロセルからの干渉が大きくなり（共通ＣＣの無線品質が低下し）、フェムトセル専用ＣＣのみを用いた通信に移行する。
【０１１３】
このように、本実施形態によれば、フェムトセル基地局装置ａ２は、移動局装置ｍ１における優先ＣＣの無線品質が予め定めた閾値より高い場合に、この移動局装置ｍ１との通信に用いるＣＣとして共通ＣＣを選択し、移動局装置ｍ１における優先ＣＣの無線品質が予め定めた閾値より低い場合に、この移動局装置ｍ１との通信に用いるＣＣとしてフェムトセル専用ＣＣを選択する。また、移動局装置ｍ１は、優先ＣＣの無線品質が予め定めた閾値より高い場合に、共通ＣＣを用いてフェムトセル基地局装置ａ２と通信を行う制御をし、優先ＣＣの無線品質が予め定めた閾値より低い場合に、フェムトセル専用ＣＣを用いてフェムトセル基地局装置ａ２と通信を行う制御をする。
これにより、本実施形態では、フェムトセル基地局装置ａ２と移動局装置ｍ１は、共通ＣＣでマクロセル基地局装置ａ１の干渉が小さい場合（共通ＣＣの無線品質が高い場合）は、共通ＣＣを含む複数のＣＣを用いた通信（キャリアアグリケーション技術の通信）で移動局装置ｍ１がフェムトセル基地局装置ａ２と高速で安定した通信を行うことができる。
また、フェムトセル基地局装置ａ２と移動局装置ｍ１は、共通ＣＣでマクロセル基地局装置ａ１の干渉が大きい場合（共通ＣＣの無線品質が低い場合）は、フェムトセル専用ＣＣを用いた通信で、移動局装置ｍ１がフェムトセル基地局装置ａ２と安定した通信を行うことができる。つまり、通信に用いる周波数帯域の一部でマクロセル基地局装置ａ１からの信号による干渉が生じることがある場合でも、移動局装置ｍ１がフェムトセル基地局装置ａ２と安定した通信を行うことができる。
【０１１４】
また、本実施形態によれば、移動局装置ｍ１は、フェムトセル基地局装置ａ２と接続をしていないとき、フェムトセル専用ＣＣで信号を検出した場合に、フェムトセル専用ＣＣを用いてフェムトセル基地局装置ａ２と接続を行う。これにより、本実施形態では、移動局装置ｍ１がマクロセルの信号からの干渉を受けないフェムトセル専用ＣＣを用いて接続処理を行うことができ、移動局装置ｍ１がフェムトセル基地局装置ａ２に確実に接続することができる。
【０１１５】
また、本実施形態によれば、フェムトセル基地局装置ａ２は、移動局装置ｍ１における優先ＣＣの無線品質が予め定めた閾値より高い場合に、この移動局装置ｍ１が着信通知を監視するアンカーキャリアとして優先ＣＣの一部を選択し、移動局装置ｍ１における優先ＣＣの無線品質が予め定めた閾値より低い場合に、この移動局装置ｍ１が着信通知を監視するアンカーキャリアとしてフェムトセル専用ＣＣを選択する。また、移動局装置ｍ１は、優先ＣＣの無線品質が予め定めた閾値より高い場合に、優先ＣＣで着信通知を監視し、優先ＣＣの無線品質が予め定めた閾値より低い場合に、フェムトセル専用ＣＣで着信通知を監視する。
これにより、本実施形態では、フェムトセル基地局装置ａ２と移動局装置ｍ１は、移動局装置ｍ１が監視するアンカーキャリアが優先ＣＣの場合にはキャリアアグリケーション技術の通信をし、移動局装置ｍ１が監視するアンカーキャリアがフェムトセル専用ＣＣの場合にはキャリアアグリケーション技術の通信をしない、と選択をすることができる。つまり、移動局装置ｍ１が監視するアンカーキャリアの情報に基づいて、キャリアアグリケーション技術の通信をするか否かを選択することができる。
【０１１６】
また、本実施形態によれば、移動局装置ｍ１が優先ＣＣを測定し、フェムトセル基地局装置ａ２が優先ＣＣの無線品質に基づいて通信ＣＣを決定する。これにより、移動局装置ｍ１が１つのＣＣのみの無線品質を測定することで、通信ＣＣを選択することができ、２以上の共通ＣＣの無線品質を測定する場合と比較して無線品質を測定する処理を軽減することができる。
【０１１７】
また、本実施形態によれば、フェムトセル基地局装置ａ２は、移動局装置ｍ１の全てが接続されていない場合に共通ＣＣに送信する信号の停止を行う制御をする。これにより、本実施形態では、フェムトセル基地局装置ａ２は、共通ＣＣの制御に用いる消費電力を低減することができる。
また、本実施形態によれば、フェムトセル基地局装置ａ２は、移動局装置ｍ１との通信に用いる通信ＣＣとしてフェムトセル専用ＣＣのみを選択している場合、優先ＣＣ以外の共通ＣＣに送信する信号の停止を行う制御をする。これにより、本実施形態では、フェムトセル基地局装置ａ２は、優先ＣＣ以外の制御に用いる消費電力を低減することができる。
【０１１８】
また、共通ＣＣでマクロセルからの干渉が大きい場合（共通ＣＣの無線品質が低い場合）、接続先をマクロセルに切り替えることが考えられる。しかし、フェムトセルとマクロセルでは、通信で発生する通信料金が異なる場合がある（マクロセルでの通信の方が通信料金が高い）。よって、接続する基地局装置が、マクロセル基地局装置ａ１とフェムトセル基地局装置ａ２とで切り換わることは好ましくない。また、基地局装置の切り替えが発生する場合には、データ伝送が途中で中断されることとなり、そのデータの転送処理等の負荷が生じてしまう。
本実施形態によれば、フェムトセルと接続している移動局装置ｍ１は、フェムトセルに接続し続けるので、基地局装置の切り替えが発生することを防止することができ、通信料金の変化や切り替えのために発生する処理の負荷を防止することができる。
【０１１９】
図１１は、本実施形態に係る無線通信システムの動作の一例を示す別のシーケンス図である。図１１は、図８におけるステップＳ１１４とＳ１１５との間の処理の一例について詳細を説明する図である。ステップＳ１０１〜Ｓ１１４、Ｓ１１５〜Ｓ１１７の処理は、図１１と図８とで同じであるので、説明は省略する。
【０１２０】
図８のステップＳ１０８以降も、上述のように、移動局装置ｍ１は、優先ＣＣの無線品質を定期的に測定し、測定結果として無線品質情報をフェムトセル基地局装置ａ２へ送信する。
【０１２１】
（ステップＳ１４１）フェムトセル基地局装置ａ２（通信帯域選択部ａ２５６）は、移動局装置ｍ１から送信された優先ＣＣの無線品質情報が、予め定めた閾値より小さいか大きいかを判定する。図１１の一例では、フェムトセル基地局装置ａ２は無線品質情報が予め定めた閾値より小さいと判定し、移動局装置ｍ１はそのままＣＣ１を用いてフェムトセル基地局装置ａ２と通信を行って通信パケットを送受信する。その後、ステップＳ１４２へ進む。
（ステップＳ１４２）移動局装置ｍ１は、優先ＣＣの無線品質を測定し、測定結果として無線品質情報をフェムトセル基地局装置ａ２へ送信する。その後、ステップＳ１４３へ進む。
【０１２２】
（ステップＳ１４３）フェムトセル基地局装置ａ２は、移動局装置ｍ１から送信された無線品質情報が、予め定めた閾値より小さいか大きいかを判定する。図１１の一例では、フェムトセル基地局装置ａ２は、無線品質情報が予め定めた閾値より大きいと判定（共通ＣＣを利用できると判定）し、通信に用いるＣＣをＣＣ１〜ＣＣ４に決定する。その後、ステップＳ１４４へ進む。
なお、フェムトセル基地局装置ａ２は、各ＣＣの無線品質情報及びユーザデータのデータ量等に基づいて移動局装置ｍ１との無線通信に用いる通信ＣＣを、ＣＣ１〜ＣＣ４の一部に決定してもよい。
（ステップＳ１４４）移動局装置ｍ１は、ＣＣ１〜ＣＣ４を用いてフェムトセル基地局装置ａ２と通信を行って通信パケットを送受信する。なお、ステップＳ１４３でＣＣ1〜ＣＣ４の一部に決定した場合は、その決定した通信ＣＣを用いて送受信する。その後、ステップＳ１５１へ進む。
【０１２３】
（ステップＳ１５１）フェムトセル基地局装置ａ２は、移動局装置ｍ１から送信された無線品質情報が、予め定めた閾値より小さいか大きいかを判定する。図１１の一例では、フェムトセル基地局装置ａ２は無線品質情報が予め定めた閾値より大きいと判定し、移動局装置ｍ１はそのままＣＣ１〜ＣＣ４を用いてフェムトセル基地局装置ａ２と通信を行って通信パケットを送受信する。その後、ステップＳ１５２へ進む。
（ステップＳ１５２）移動局装置ｍ１は、優先ＣＣの無線品質を測定し、測定結果として無線品質情報をフェムトセル基地局装置ａ２へ送信する。その後、ステップＳ１５３へ進む。
【０１２４】
（ステップＳ１５３）フェムトセル基地局装置ａ２は、移動局装置ｍ１から送信された無線品質情報が、予め定めた閾値より小さいか大きいかを判定する。図１１の一例では、フェムトセル基地局装置ａ２は、無線品質情報が予め定めた閾値より小さいと判定（共通ＣＣを利用できないと判定）し、通信に用いるＣＣをＣＣ１に決定する。なお、ステップＳ１５３で用いる閾値は、他（例えば、ステップＳ１４１）の処理で用いる閾値と異なっても（他の処理で用いる閾値より高くても低くてもよい。）よいし、同じであってもよい。なお、移動局装置ｍ１は、優先ＣＣの無線品質を定期的に測定し、測定した無線品質が予め定めた閾値を下回った場合に、測定結果としての無線品質情報をフェムトセル基地局装置ａ２へ送信してもよい。
【０１２５】
（ステップＳ１５４）移動局装置ｍ１は、ＣＣ２〜ＣＣ４を用いた通信を停止し、ＣＣ１のみを用いてフェムトセル基地局装置ａ２と通信を行って通信パケットを送受信する。ここで、フェムトセル基地局装置ａ２及び移動局装置ｍ１は、無線品質の測定に用いる優先ＣＣ以外の共通ＣＣについては、信号の送信を停止する。すなわち、移動局装置ｍ１と専用ＣＣのみで通信を行う場合に、共通ＣＣの一部であって無線品質の測定に用いる優先ＣＣ以外の共通ＣＣにおける通信を停止する。その後、ステップＳ１１５へ進む。
【０１２６】
以上のステップＳ１４（ステップＳ１４１〜ステップＳ１４４）、Ｓ１５（ステップＳ１５１〜ステップＳ１５４）の処理により、フェムトセル基地局装置ａ２と移動局装置ｍ１は、通信中にも安定した通信を行うことができる。
【０１２７】
（第２の実施形態）
以下、図面を参照しながら本発明の第２の実施形態について詳しく説明する。本実施形態では、移動局装置は、フェムトセル専用ＣＣ（専用周波数帯域）で時分割複信（ＴＤＤ：Ｔｉｍｅ  Ｄｉｖｉｓｉｏｎ  Ｄｕｐｌｅｘ)方式の通信を行い、共通ＣＣ（共通周波数帯域）で周波数分割複信（ＦＤＤ；Ｆｒｅｑｕｅｎｃｙ  Ｄｉｖｉｓｉｏｎ  Ｄｕｐｌｅｘ)方式の通信を行う。本実施形態に係る無線通信システムを示す概略図は、図１と同じであるので、説明を省略する。
【０１２８】
図１２は、本発明の第２の実施形態に係るコンポーネントキャリアの割当ての一例を示す概略図である。この図において、縦軸は周波数であり、基地局装置毎（横軸）にコンポーネントキャリアの割当てを示している。
図１２において、周波数は、３個の周波数バンド（周波数が低い方から周波数バンド１、２、３）に分割されている。これらの周波数バンドは、例えば、８００ＭＨｚ帯、１．５ＧＨｚ帯、２ＧＨｚ帯、３ＧＨｚ帯といった周波数帯域である。また、各周波数バンドには複数の周波数帯域が設けられており、この周波数帯域は、例えば最大２０ＭＨｚのキャリアである。各装置は、周波数バンド１、３ではＦＤＤ方式の通信を行い、周波数バンド２ではＴＤＤ方式の通信を行う。
【０１２９】
図１２は、マクロセルＣ１１では、周波数バンド１、３を用いてＦＤＤ方式の通信を行うことができ、ＣＣ２〜６の５個のＣＣを用いて通信を行うことができることを示す。なお、ＣＣ１は、フェムトセルＣ２１、Ｃ２２で用いられるＣＣであり、マクロセルＣ１１では用いられないＣＣである。つまり、ＣＣ１はフェムトセル専用ＣＣであり、ＣＣ１ではＴＤＤ方式の通信が行われる。
また、図１２は、フェムトセルＣ２１、Ｃ２２では、周波数バンド１、２、３を用いて通信を行うことができ、ＣＣ１〜４の４個のＣＣを用いて通信を行うことができることを示す。ＣＣ２は、優先ＣＣである。
【０１３０】
以下、マクロセル基地局装置Ａ１１をマクロセル基地局装置ａ１といい、フェムトセル基地局装置Ａ２１、Ａ２２各々をフェムトセル基地局装置ａ３といい、移動局装置Ｍ１０〜Ｍ１２各々を移動局装置ｍ２という。マクロセル基地局装置ａ１の構成は、第１の実施形態の図（図１）に示す構成と同じであるので、説明を省略する。
【０１３１】
＜フェムトセル基地局装置ａ３の構成について＞
図１３は、本実施形態に係るフェムトセル基地局装置ａ３の構成を示す概略ブロック図である。本実施形態に係るフェムトセル基地局装置ａ３は、図４におけるベースバンド信号処理部ａ２２の詳細の一例として、ベースバンド信号処理部ａ３２を含んで備える。他の構成（ＩＰ通信部ａ２１、無線部ａ２３、アンテナａ２４１〜ａ２４３、及び制御部ａ２５）が持つ機能は、第１の実施形態（図４）と同じであるので説明を省略する。
ベースバンド信号処理部ａ３２は、ＴＤＤ方式信号処理部ａ３２１、及びＦＤＤ方式信号処理部ａ３２２を含んで構成される。
【０１３２】
ＴＤＤ方式信号処理部ａ３２１は、専用ＣＣ（ＣＣ１）で送信するデータについて、ベースバンド信号処理部ａ２２と同じ処理を行う。ここで、ＴＤＤ方式信号処理部ａ３２１は、上りデータを、ＴＤＤ方式の信号フォーマットに従ってマッピングする。ＴＤＤ方式信号処理部ａ３２１は、周波数バンド２のフェムトセル専用ＣＣ（ＣＣ１）に配置する信号を、制御部ａ２５からの制御に従って、専用ＣＣ無線部ａ２３１に出力する。
ＴＤＤ方式信号処理部ａ３２１は、専用ＣＣ（ＣＣ１）から受信したデータについて、ベースバンド信号処理部ａ２２と同じ処理を行う。ここで、ＴＤＤ方式信号処理部ａ３２１は、移動局装置ｍ２毎のデータを、ＴＤＤ方式の信号フォーマットに従ってデマッピングする。ＴＤＤ方式信号処理部ａ３２１は、制御データを制御部ａ１５に出力し、ユーザデータをＩＰ通信部ａ２１に出力する。
【０１３３】
ＦＤＤ方式信号処理部ａ３２２は、共通ＣＣ（ＣＣ２〜ＣＣ４）で送信するデータについて、ベースバンド信号処理部ａ２２と同じ処理を行う。ここで、ＦＤＤ方式信号処理部ａ３２２は、上りのデータを、ＦＤＤ方式の信号フォーマットに従ってマッピングする。ＦＤＤ方式信号処理部ａ３２２は、周波数バンド１の優先ＣＣ（ＣＣ２）に配置する信号を、制御部ａ２５からの制御に従って、優先ＣＣ無線部ａ２３２に出力する。また、ＦＤＤ方式信号処理部ａ３２２は、周波数バンド１のＣＣ３、及び、周波数バンド３のＣＣ４に配置する信号を、制御部ａ２５からの制御に従って、優先ＣＣ無線部ａ２３３に出力する。
ＦＤＤ方式信号処理部ａ３２２は、共通ＣＣ（ＣＣ２〜ＣＣ４）から受信したデータについて、ベースバンド信号処理部ａ２２と同じ処理を行う。ここで、ＦＤＤ方式信号処理部ａ３２２は移動局装置ｍ２毎のデータを、ＦＤＤ方式の信号フォーマットに従ってデマッピングする。ＦＤＤ方式信号処理部ａ３２２は、制御データを制御部ａ１５に出力し、ユーザデータをＩＰ通信部ａ２１に出力する。
【０１３４】
＜移動局装置ｍ２の構成について＞
図１４は、本実施形態に係る移動局装置ｍ２の構成を示す概略ブロック図である。本実施形態に係る移動局装置ｍ２は、図６におけるベースバンド信号処理部ｍ１３の詳細の一例として、ベースバンド信号処理部ｍ２３を含んで備える。他の構成（アンテナｍ１１１〜ｍ１１３、無線部ｍ１２、ベースバンド信号処理部ｍ１３、アプリケーション処理部ｍ１４、及び制御部ｍ１５）が持つ機能は、第１の実施形態（図６）と同じであるので説明を省略する。
ベースバンド信号処理部ｍ２３は、ＴＤＤ方式信号処理部ｍ２３１、及びＦＤＤ方式信号処理部ｍ２３２を含んで構成される。
【０１３５】
ＴＤＤ方式信号処理部ｍ２３１は、周波数バンド２無線部ｍ１２２から入力された信号、つまり、周波数バンド２（専用ＣＣ、ＣＣ１）から受信した信号について、ベースバンド信号処理部ｍ１３と同じ処理を行う。ここで、ＴＤＤ方式信号処理部ｍ２３１は、例えば、移動局装置ｍ２毎のデータを、ＴＤＤ方式の信号フォーマットに従ってデマッピングする。ＴＤＤ方式信号処理部ｍ２３１は、制御データを制御部ｍ１５に出力し、ユーザデータをアプリケーション処理部ｍ１４に出力する。
ＴＤＤ方式信号処理部ｍ２３１は、周波数バンド２（専用ＣＣ、ＣＣ１）で送信する信号について、ベースバンド信号処理部ｍ１３と同じ処理を行う。ここで、ＴＤＤ方式信号処理部ｍ２３１は、例えば、上りのデータを、ＴＤＤ方式の信号フォーマットに従ってマッピングする。ＴＤＤ方式信号処理部ｍ２３１は、処理後の信号を、周波数バンド２無線部ｍ１２２に出力する。
【０１３６】
ＦＤＤ方式信号処理部ｍ２３２は、周波数バンド１無線部ｍ１２１及び周波数バンド３無線部ｍ１２３から入力された信号、つまり、周波数バンド１、３（共通ＣＣ）から受信した信号について、ベースバンド信号処理部ｍ１３と同じ処理を行う。ＦＤＤ方式信号処理部ｍ２３２は、制御データを制御部ｍ１５に出力し、ユーザデータをアプリケーション処理部ｍ１４に出力する。
ＦＤＤ方式信号処理部ｍ２３２は、周波数バンド１、３（共通ＣＣ）で送信する信号について、ベースバンド信号処理部ｍ１３と同じ処理を行う。ＦＤＤ方式信号処理部ｍ２３２は、処理後の信号のうち、周波数バンド１で送信する信号を周波数バンド１無線部ｍ１２１に出力し、周波数バンド３で送信する信号を周波数バンド３無線部ｍ１２３に出力する。
なお、アプリケーション処理部ｍ１４は、ＴＤＤ方式信号処理部ｍ２３１及びＦＤＤ方式信号処理部ｍ２３２から入力されたユーザデータを結合し、音声や画像として出力する。また、アプリケーション処理部ｍ１４は、生成したデータを分割して、ＴＤＤ方式信号処理部ｍ２３１又はＦＤＤ方式信号処理部ｍ２３２のいずれか或いは両方に出力する。
【０１３７】
なお、本実施形態に係る無線通信システムの動作等の一例は、図８〜１１に示したものと同じであるので、説明は省略する。
以上のように、本実施形態では、フェムトセル専用ＣＣでＴＤＤ方式の通信を行い、共通ＣＣでＦＤＤ方式の通信を行う。仮に、全ての周波数バンドでＦＤＤ方式の通信を行う場合には、マクロ基地局装置ａ１は、信号の干渉を防止するために、周波数帯域の一部をフェムトセル専用に割り当てる必要がある。本実施形態では、フェムトセル専用ＣＣでＴＤＤ方式の通信を行うので、マクロ基地局装置ａ１は、信号の干渉を低減しつつ、全ての周波数バンドで通信を行うことができる。
例えば、フェムトセル基地局装置ａ３と移動局装置ｍ３で干渉に対する制御を行うことでマクロ基地局装置ａ１は、干渉に対する特別な処理を行う必要がない。
また、移動局装置ｍ３は、ＴＤＤ方式の周波数帯域を用いて安定した通信を行い（通信の制御データをＴＤＤ方式の周波数帯域で通信するため、制御情報の劣化が極めて少ない）、マクロ基地局装置ａ３の干渉が小さい場合には、さらに共通ＣＣとなるＦＤＤの周波数帯域を利用して高速の通信を行うことが可能となる。
【０１３８】
（第３の実施形態）
以下、図面を参照しながら本発明の第３の実施形態について詳しく説明する。本実施形態では、移動局装置は、フェムトセル基地局装置との通信において共通ＣＣの無線品質が低い場合に、マクロセル基地局装置と通信を行う。ここで、移動局装置は、フェムトセル基地局装置と専用ＣＣを用いて通信を行う。また、本実施形態では、フェムトセル専用ＣＣ（専用周波数帯域）でＴＤＤ方式の通信を行い、共通ＣＣで周波数分割復信ＦＤＤ方式の通信を行う。
本実施形態に係る無線通信システムを示す概略図は、第２の実施形態（図１）と同じである。本実施形態に係るコンポーネントキャリアの割当ての一例を示す概略図は、第２の実施形態（図１２）と同じである。本実施形態に係るマクロセル基地局装置ａ１、フェムトセル基地局装置ａ３、移動局装置ｍ２の構成を示す概略ブロック図は、第２の実施形態（それぞれ、図３、１３、１４）と同じである。
【０１３９】
ただし、フェムトセル基地局装置ａ３の通信帯域選択部ａ２５６は、フェムトセル基地局装置ａ３から送信される信号についての優先ＣＣの無線品質情報（フェムト優先無線品質情報という）が予め定めた閾値より小さい場合、マクロセル基地局装置ａ１から送信される信号についての優先ＣＣの無線品質情報（マクロ優先無線品質情報という）が予め定めた閾値より小さいか大きいかを判定する。ここで、この無線品質情報として、例えば、移動局装置ｍ２が測定したＲＳＲＰ（Ｒｅｆｅｒｅｎｃｅ  Ｓｉｇｎａｌ  Ｒｅｃｅｉｖｅ  Ｐｏｗｅｒ）が用いられる。
マクロ優先無線品質情報が予め定めた閾値より小さい（マクロセルの無線品質が低い）と判定した場合、通信帯域選択部ａ２５６は、フェムトセル専用ＣＣを通信ＣＣとして選択する。一方、マクロ優先無線品質情報が予め定めた閾値より大きい（マクロセルの無線品質が高い）と判定した場合、通信帯域選択部ａ２５６は、フェムトセル専用ＣＣを移動局装置ｍ２とフェムトセル基地局装置ａ３が通信を行う通信ＣＣとして選択する。また、通信帯域選択部ａ２５６は、マクロセル基地局装置ａ１が通信できるＣＣ（ＣＣ２〜ＣＣ６）の一部又は全部を移動局装置ｍ２とマクロセル基地局装置ａ１が通信を行う通信ＣＣとして選択する。
【０１４０】
専用ＣＣを用いてフェムトセル基地局装置ａ３と移動局装置ｍ２が通信を行い、同時に、マクロセル基地局装置ａ１と移動局装置が通信を行う場合には、フェムトセル基地局装置ａ３の制御部ａ２５はネットワークＮ１、Ｎ２を利用してデータを制御する。具体的には、マクロセル基地局装置ａ１で受信された信号のデータはＣＮ通信部ａ１１を介してコアネットワークＮ１に送信される。フェムトセル基地局装置ａ３のＩＰ通信部ａ２１は、そのデータを、ＩＰネットワークＮ２を介して受信して制御部ａ２５に出力する。一方、制御部ａ２５は、ＴＤＤ方式信号処理部ａ３２１から入力されたデータとＩＰ通信部ａ２１から入力されたデータとを結合し、移動局装置ｍ２からの受信データとして処理する。
また、制御部ａ２５は、移動局装置ｍ２に送信するデータを、専用ＣＣを用いてフェムトセル基地局装置ａ３から送信するデータと、マクロセル基地局装置ａ１から送信するデータに分割する。制御部ａ２５は、専用ＣＣを用いてフェムトセル基地局装置ａ３から送信するデータを、ＴＤＤ方式信号処理部ａ３２１に出力する。制御部ａ２５は、マクロセル基地局装置ａ１から送信するデータをＩＰ通信部ａ２１に出力する。ＩＰ通信部ａ２は、そのデータをＩＰネットワークＮ２を介してコアネットワークＮ１に送信し、マクロセル基地局装置ａ１のＣＮ通信部ａ１１は、そのデータを受信する。ＣＮ通信部ａ１１は、受信したデータをベースバンド信号処理部ａ１２に出力し、マクロセル基地局装置ａ１は、周波数バンド１無線部ａ１３１又は周波数バンド３無線部ａ１３３のいずれか或いは両方を用いて、移動局装置ｍ２に送信する。
【０１４１】
図１５は、本発明の第３の実施形態に係る無線通信システムの動作の一例を示すシーケンス図である。図１５におけるステップＳ１０１〜Ｓ１１４、Ｓ１４１〜Ｓ１４４、Ｓ１１５〜Ｓ１１７の処理は、図１５とで同じであるので、説明は省略する。
【０１４２】
（ステップＳ２５１）フェムトセル基地局装置ａ３は、移動局装置ｍ２から送信されたフェムト優先無線品質情報が、予め定めた閾値より小さいか大きいかを判定する。図１１の一例では、フェムトセル基地局装置ａ３はフェムト優先無線品質情報が予め定めた閾値より大きいと判定し、移動局装置ｍ２はそのままＣＣ１〜ＣＣ４を用いてフェムトセル基地局装置ａ３と通信を行って通信パケットを送受信する。その後、ステップＳ２５２へ進む。
（ステップＳ２５２）移動局装置ｍ２は、マクロセル基地局装置ａ１及びフェムトセル基地局装置ａ３から送信される信号各々についての優先ＣＣの無線品質を測定し、測定結果として無線品質情報（マクロ優先無線品質情報、フェムト優先無線品質情報）をフェムトセル基地局装置ａ３へ送信する。その後、ステップＳ２５３へ進む。
【０１４３】
（ステップＳ２５３）フェムトセル基地局装置ａ３は、移動局装置ｍ２から送信されたフェムト優先無線品質情報が、予め定めた閾値より小さいか大きいかを判定する。図１１の一例では、フェムトセル基地局装置ａ３は、このフェムト優先無線品質情報が予め定めた閾値より小さいと判定し、マクロ優先無線品質情報が、予め定めた閾値より小さいか大きいかを判定する。図１１の一例では、フェムトセル基地局装置ａ３（通信帯域選択部ａ２５６）は、このマクロ優先無線品質情報が予め定めた閾値より大きいと判定する。この場合、フェムトセル基地局装置ａ３は、フェムトセル専用ＣＣを移動局装置ｍ２とフェムトセル基地局装置ａ３が通信を行う通信ＣＣとして決定する。また、フェムトセル基地局装置ａ３は、マクロセル基地局装置ａ１が通信できるＣＣを移動局装置ｍ２とマクロセル基地局装置ａ１が通信を行う通信ＣＣとして決定する。その後、ステップＳ２５４へ進む。
なお、フェムトセル基地局装置ａ３は、各ＣＣの無線品質情報及びユーザデータのデータ量等に基づいて移動局装置ｍ２とマクロセル基地局装置ａ１が無線通信に用いる通信ＣＣを、ＣＣ２〜ＣＣ６の一部に決定してもよい。
（ステップＳ２５４）移動局装置ｍ２は、ＣＣ１を用いてフェムトセル基地局装置ａ３と通信を行い、また、ＣＣ２〜ＣＣ６を用いてマクロセル基地局装置ａ１と通信を行って通信パケットを送受信する。その後、ステップＳ２６１へ進む。
【０１４４】
（ステップＳ２６１）フェムトセル基地局装置ａ３は、移動局装置ｍ２から送信されたフェムト優先無線品質情報が、予め定めた閾値より小さいか大きいかを判定する。図１１の一例では、フェムトセル基地局装置ａ３は無線品質情報が予め定めた閾値より小さいと判定し、移動局装置ｍ２はそのままＣＣ１〜ＣＣ６を用いてフェムトセル基地局装置ａ３及びマクロセル基地局装置ａ１と通信を行って通信パケットを送受信する。その後、ステップＳ２５２へ進む。
（ステップＳ２６２）移動局装置ｍ２は、マクロセル基地局装置ａ１及びフェムトセル基地局装置ａ３から送信される信号各々についての優先ＣＣの無線品質を測定し、測定結果として無線品質情報（マクロ優先無線品質情報、フェムト優先無線品質情報）をフェムトセル基地局装置ａ３へ送信する。その後、ステップＳ２６３へ進む。
【０１４５】
（ステップＳ２６３）フェムトセル基地局装置ａ３は、移動局装置ｍ２から送信されたフェムト優先無線品質情報が、予め定めた閾値より小さいか大きいかを判定する。図１１の一例では、フェムトセル基地局装置ａ３はこのフェムト優先無線品質情報が予め定めた閾値より大きいと判定する。この場合、フェムトセル基地局装置ａ３は、専用ＣＣ及び共通ＣＣ（ＣＣ１〜ＣＣ４）を移動局装置ｍ２とフェムトセル基地局装置ａ３が通信を行う通信ＣＣとして決定する。その後、ステップＳ２６４へ進む。
（ステップＳ２６４）移動局装置ｍ２は、ＣＣ１〜ＣＣ４を用いてフェムトセル基地局装置ａ３と通信を行って通信パケットを送受信する。その後、ステップＳ１１５へ進む。
【０１４６】
以上により、本実施形態では、フェムトセル基地局装置ａ３との通信の干渉が大きい（無線品質が小さい）場合は、マクロセル基地局ａ１を利用してキャリアアグリゲーションを行う。例えば、移動局装置ｍ３は、屋内で使用されていて、フェムトセル基地局装置ａ３の近くでは、専用ＣＣと共通ＣＣを用いて、フェムトセル基地局装置ａ３とのみでキャリアアグリゲーションを行う。移動局装置ｍ３は、フェムトセル基地局装置ａ３から離れた窓際等で、マクロセル基地局装置ａ１からの電波を非常に高いレベルで受信している場合には、専用ＣＣを用いてフェムト基地局装置ａ１と、また、マクロセル基地局装置ａ３が用いるＣＣを用いてマクロセル基地局装置ａ３と、キャリアアグリゲーションを行う。
これにより、マクロセル基地局装置ａ１は、フェムトセル基地局装置ａ３によりその通信負荷を軽減することができる。また、移動局装置ｍ２は、共通ＣＣがフェムトセル基地局装置ａ３で利用可能な場合は、そちらを用いて低コストな通信を利用することができ、また、窓際等でマクロセル基地局装置ａ１からの干渉が大きい場合は、キャリアアグリゲーションを用いて高速なデータ通信を行うことができる。
【０１４７】
なお、上記第３の実施形態において、フェムトセル基地局装置ａ３は、マクロ優先無線品質情報からフェムト優先無線品質情報を減算した値が、予め定めた値より大きい場合に、専用ＣＣを用いてフェムト基地局装置ａ１と、また、マクロセル基地局装置ａ３が用いるＣＣを用いてマクロセル基地局装置ａ３と、通信を行うように決定してもよい。
【０１４８】
なお、上記各実施形態において、移動局装置ｍ１、ｍ４は、優先ＣＣ等の無線品質を定期的に測定し、測定した無線品質が予め定めた閾値を超えた場合に、測定結果としての無線品質情報をフェムトセル基地局装置ａ２、ａ３へ送信してもよい。
また、上記各実施形態において、フェムトセルでは４個のＣＣを通信に用いる場合について説明したが、本発明はこれに限らず、ＣＣの数はいくつあってもよい。例えば、５個以上でもよい。また、上記各実施形態において、フェムトセル専用ＣＣが１個の場合について説明をしたが、本発明はこれに限らず、複数のフェムトセル専用ＣＣとしてもよい。この場合、複数のフェムトセル専用ＣＣを用いてキャリアアグリケーション技術の通信を行ってもよい。また、優先ＣＣが複数あってもよい。
【０１４９】
また、上記実施形態において、共通ＣＣの無線品質が高いときに、移動局装置ｍ１とフェムトセル基地局装置ａ２とが通信を行う場合、フェムトセル基地局装置ａ２はフェムトセル専用ＣＣも通信ＣＣとして選択した。しかし本発明はこれに限らず、このとき、フェムトセル専用ＣＣを通信ＣＣとして選択しなくてもよい。
また、フェムトセル専用ＣＣは、キャリアアグリケーション技術の通信に用いることができないＣＣであることが好ましい。
【０１５０】
なお、上記各実施形態において、マクロセル基地局装置ａ１とフェムトセル基地局装置ａ２、ａ３との両方が、キャリアアグリケーション技術の通信を行う場合について説明をした。しかし、本発明はこれに限らず、マクロセル基地局装置ａ１はキャリアアグリケーション技術の通信を行わなくてもよい。
また、上記各実施形態において、マクロセル基地局装置ａ１とフェムトセル基地局装置ａ２、ａ３と逆であってもよい。
また、上記各実施形態において、フェムトセル基地局装置ａ２、ａ３（無線制御部ａ２５８）と移動局装置ｍ１、ｍ４（無線制御部ｍ１５８）は、マッピングの情報等のシステムインフォメーションを含む制御データの信号をフェムトセル専用ＣＣのみを用いて送信してもよい。これにより、制御データの信号がマクロセルの信号と干渉することを防止することができ、制御データを確実に送受信できる。
また、上記各実施形態において、移動局装置ｍ１、ｍ４が無線制御部ｍ１５８を備える場合について説明をしたが、本発明はこれに限らず、フェムトセル基地局装置ａ２、ａ３が無線制御部ｍ１５８が持つ機能を備えてもよい。この場合、フェムトセル基地局装置ａ２、ａ３に備えられた無線制御部ｍ１５８通信に用いるＣＣ（優先ＣＣ、又はフェムトセル専用ＣＣ）を決定し、決定したＣＣを示す情報を移動局装置ｍ１、ｍ４に送信する。移動局装置ｍ１、ｍ４は受信した情報が示すＣＣを用いて通信を行う。
なお、上記第３の実施形態において、フェムトセル専用ＣＣ及び共通ＣＣで、ＦＤＤ方式の通信を行ってもよいし、ＴＤＤ方式の通信を行ってもよい。
【０１５１】
なお、上述した実施形態におけるフェムトセル基地局装置ａ２及び移動局装置ｍ１の一部、例えば、専用ＣＣ無線部ａ２３１、優先ＣＣ無線部ａ２３２、共通ＣＣ無線部ａ２３３、認証部ａ２５１、周波数帯域情報提供部ａ２５４、無線品質情報取得部ａ２５５、通信帯域選択部ａ２５６、無線制御部ａ２５８、周波数バンド１無線部ｍ１２１、周波数バンド２無線部ｍ１２２、周波数バンド３無線部ｍ１２３、周波数帯域情報取得部ｍ１５１、無線品質測定部ｍ１５３、接続基地局選択部ｍ１５４、無線品質提供部ｍ１５５、通信帯域情報取得部ｍ１５６、及び無線制御部ｍ１５８をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、フェムトセル基地局装置ａ２又は移動局装置ｍ１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５３】
Ａ１１、ａ１・・・マクロセル基地局装置、Ａ２１、Ａ２２、ａ２、ａ３・・・フェムトセル基地局装置、Ｍ１０〜Ｍ１２、ｍ１、ｍ４・・・移動局装置、ａ１１・・・ＣＮ通信部、ａ１２・・・ベースバンド信号処理部、ａ１３・・・無線部、ａ１４１〜ａ１４３・・・アンテナ、ａ１５・・・制御部、ａ１３１・・・周波数バンド１無線部、ａ１３２・・・周波数バンド２無線部、ａ１３３・・・周波数バンド３無線部、ａ２１・・・ＩＰ通信部、ａ２２、ａ３２・・・ベースバンド信号処理部、ａ２３・・・無線部、ａ２４１〜ａ２４３・・・アンテナ、ａ２５・・・制御部、ａ２３１・・・専用ＣＣ無線部、ａ２３２・・・優先ＣＣ無線部、ａ２３３・・・共通ＣＣ無線部、ａ２５１・・・認証部、ａ２５２・・・接続装置記憶部、ａ２５３・・・周波数帯域情報記憶部、ａ２５４・・・周波数帯域情報提供部、ａ２５５・・・無線品質情報取得部、ａ２５６・・・通信帯域選択部、ａ２５７・・・通信帯域情報記憶部、ａ２５８・・・無線制御部（基地局無線制御部）、ｍ１１１〜ｍ１１３・・・アンテナ、ｍ１２・・・無線部、ｍ１３、ｍ２３・・・、ベースバンド信号処理部、ｍ１４・・・アプリケーション処理部、ｍ１５・・・制御部、ｍ１２１・・・周波数バンド１無線部、ｍ１２２・・・周波数バンド２無線部、ｍ１２３・・・周波数バンド３無線部、ｍ１５１・・・周波数帯域情報取得部、ｍ１５２・・・周波数帯域情報記憶部、ｍ１５３・・・無線品質測定部、ｍ１５４・・・接続基地局選択部、ｍ１５５・・・無線品質提供部、ｍ１５６・・・通信帯域情報取得部、ｍ１５７・・・通信帯域情報記憶部、ｍ１５８・・・無線制御部（移動局無線制御部）、ａ３２１・・・ＴＤＤ方式信号処理部、ａ３２２・・・ＦＤＤ方式信号処理部
【図１】
0005594610.tif 000002
【図２】
0005594610.tif 000003
【図３】
0005594610.tif 000004
【図４】
0005594610.tif 000005
【図５】
0005594610.tif 000006
【図６】
0005594610.tif 000007
【図７】
0005594610.tif 000008
【図８】
0005594610.tif 000009
【図９】
0005594610.tif 000010
【図１０】
0005594610.tif 000011
【図１１】
0005594610.tif 000012
【図１２】
0005594610.tif 000013
【図１３】
0005594610.tif 000014
【図１４】
0005594610.tif 000015
【図１５】
0005594610.tif 000016